(57)【要約】  本願の実施形態は、通信方法及び通信機器を提供する。この方法は、ログレコードを生成するステップであって、ログレコードは、端末が非アクティブ状態にあるときにＭＤＴログ測定を実行することによって記録される、生成するステップと；端末が接続状態にあるときに、生成したログレコードをネットワーク装置に送信するステップと；を含む。従って、ネットワーク装置は、モバイルネットワーク品質評価に関するより多くのログレコードを取得することができ、それによって、モバイル通信システム（例えば、５Ｇシステム）のネットワーク要件が満たされ、モバイルネットワーク品質評価の柔軟性が向上する。
2021529484.tif 000002
【特許請求の範囲】
【請求項１】
通信方法であって、当該方法は、
ログレコードを生成するステップであって、該ログレコードは、端末が非アクティブ状態にあるときに、ドライブテストの最小化（ＭＤＴ）ログ測定を実行することによって記録され、前記ログレコードは、前記端末の位置情報、前記端末のサービングセルの信号測定値、及び前記端末の少なくとも１つの隣接セルの信号測定値のいずれか１つ又は組合せを含み、前記非アクティブ状態は、エアインターフェイス接続が中断され、且つコンテキスト情報が保持される無線リソース制御（ＲＲＣ）状態を指す、生成するステップと、
前記端末が接続状態にあるときに、前記生成したログレコードをネットワーク装置に送信するステップと、を含む、
方法。
【請求項２】
前記ログレコードを生成するステップは、
第１の時間間隔が満了すると、前記ログレコードを生成するステップ、及び／又は
ＲＲＣ接続の再開に失敗すると、前記ログレコードを生成するステップを含む、請求項１に記載の方法。
【請求項３】
当該方法は、ＭＤＴログ測定の構成情報を受信するステップをさらに含み、
前記ＭＤＴログ測定を実行するステップは、前記ＭＤＴログ測定の構成情報に基づいて、前記ＭＤＴログ測定を実行するステップを含む、請求項２に記載の方法。
【請求項４】
前記ＭＤＴログ測定の構成情報を受信するステップは、ＲＲＣメッセージを介して前記ＭＤＴログ測定の構成情報を受信するステップを含む、請求項３に記載の方法。
【請求項５】
前記ＲＲＣメッセージは、前記非アクティブ状態に入るように前記端末に示すために使用されるメッセージである、請求項４に記載の方法。
【請求項６】
前記ＭＤＴログ測定の構成情報は、第１の情報を含み、該第１の情報は、前記ＭＤＴログ測定が信号品質測定を含むことを示すために使用される、請求項３乃至５のいずれか一項に記載の方法。
【請求項７】
前記ＭＤＴログ測定の構成情報は、第２の情報をさらに含み、該第２の情報は、前記信号品質測定におけるセマフォが、参照信号受信電力（ＲＳＲＰ）、参照信号受信品質（ＲＳＲＱ）、及び信号対干渉プラス雑音比（ＳＩＮＲ）のいずれか１つ又は組合せを含むことを示す、請求項６に記載の方法。
【請求項８】
前記ＭＤＴログ測定の構成情報は、測定閾値を含み、
前記ログレコードを生成するステップは、前記サービングセルの前記信号測定値が前記測定閾値以下であるときに前記ログレコードを生成するステップを含む、請求項３乃至７のいずれか一項に記載の方法。
【請求項９】
前記ＭＤＴログ測定の構成情報は、第３の情報を含み、該第３の情報は、前記第１の時間間隔を示す、請求項３乃至８のいずれか一項に記載の方法。
【請求項１０】
前記ＭＤＴログ測定の構成情報は、第４の情報を含み、該第４の情報は、前記ＭＤＴログ測定の構成情報の期間を示し、
前記ＭＤＴログ測定の構成情報を受信した後に、当該方法は、
タイマーを開始するステップであって、該タイマーの期間が前記期間である、開始するステップをさらに含み、
前記ＭＤＴログ測定を実行するステップは、前記タイマーが時間切れになる前に前記ログ測定の構成情報に基づいて前記ＭＤＴログ測定を実行するステップを含む、請求項３乃至９のいずれか一項に記載の方法。
【請求項１１】
前記信号測定値は、セル信号測定値及びダウンリンクビームの信号測定値のいずれか１つ又は組合せを含む、請求項１乃至１０のいずれか一項に記載の方法。
【請求項１２】
前記ログレコードは、第５の情報をさらに含み、該第５の情報は、前記ログレコードが生成されたときに前記端末が非アクティブ状態にあることを示す、請求項１乃至１１のいずれか一項に記載の方法。
【請求項１３】
当該方法は、
前記第１の時間間隔が満了したときに生成した前記ログレコードを第１の変数に格納するステップ、及び／又は
前記ＲＲＣ接続の再開に失敗したときに生成した前記ログレコードを第２の変数に格納するステップをさらに含む、請求項２に記載の方法。
【請求項１４】
前記生成したログレコードをネットワーク装置に送信する前に、当該方法は、
第１のメッセージを前記ネットワーク装置に送信するステップであって、前記第１のメッセージには、前記第１の時間間隔に基づいて生成された前記ログレコードが前記端末にあることを示すために使用される情報、及び／又は前記ＲＲＣ接続再開の失敗に基づいて生成された前記ログレコードが前記端末にあることを示すために使用される情報が含まれる、送信するステップと、
前記ネットワーク装置から第２のメッセージを受信するステップであって、該第２のメッセージには、前記ログレコードを要求するために使用される情報が含まれる、受信するステップと、をさらに含む、請求項２又は１３に記載の方法。
【請求項１５】
通信方法であって、当該方法は、
端末からログレコードを受信するステップと、
該ログレコードを処理するステップと、を含み、
前記ログレコードは、前記端末が非アクティブ状態にあるときにドライブテストの最小化（ＭＤＴ）ログ測定を実行することによって生成され、前記非アクティブ状態は、エアインターフェイス接続が中断され、且つコンテキスト情報が保持される無線リソース制御（ＲＲＣ）状態を指し、
前記ログレコードは、前記端末の位置情報、前記端末のサービングセルの信号測定値、及び前記端末の少なくとも１つの隣接セルの信号測定値のいずれか１つ又は組合せを含む、
方法。
【請求項１６】
前記ログレコードは、第１の時間間隔が満了したときに前記端末によって生成され、及び／又はＲＲＣ接続の再開に失敗したときに生成される、請求項１５に記載の方法。
【請求項１７】
当該方法は、ＭＤＴログ測定の構成情報を前記端末に送信するステップをさらに含み、
前記ＭＤＴログ測定の構成情報は、前記端末が前記ＭＤＴログ測定を実行するために使用される、請求項１６に記載の方法。
【請求項１８】
前記ＭＤＴログ測定の構成情報を前記端末に送信するステップは、前記ＭＤＴログ測定の構成情報をＲＲＣメッセージを介して前記端末に送信するステップを含む、請求項１７に記載の方法。
【請求項１９】
前記ＲＲＣメッセージは、前記非アクティブ状態に入るように前記端末に示すために使用されるメッセージである、請求項１８に記載の方法。
【請求項２０】
前記ＭＤＴログ測定の構成情報は、第１の情報を含み、該第１の情報は、前記ＭＤＴログ測定が信号品質測定を含むことを示す、請求項１７乃至１９のいずれか一項に記載の方法。
【請求項２１】
前記ＭＤＴログ測定の構成情報は、第２の情報をさらに含み、該第２の情報は、前記信号品質測定におけるセマフォが、参照信号受信電力（ＲＳＲＰ）、参照信号受信品質（ＲＳＲＱ）、及び信号対干渉プラス雑音比（ＳＩＮＲ）のいずれか１つ又は組合せを含むことを示す、請求項２０に記載の方法。
【請求項２２】
前記ＭＤＴログ測定の構成情報は、測定閾値をさらに含み、該測定閾値は、前記サービングセルの前記信号測定値が前記測定閾値以下であるときに、前記端末が前記ログレコードを生成するために使用される、請求項１７乃至２１のいずれか一項に記載の方法。
【請求項２３】
前記ＭＤＴログ測定の構成情報は、第３の情報をさらに含み、該第３の情報は、前記第１の時間間隔を示す、請求項１７乃至２２のいずれか一項に記載の方法。
【請求項２４】
前記ＭＤＴログ測定の構成情報は、第４の情報をさらに含み、該第４の情報は、前記ＭＤＴログ測定の構成情報の期間を示す、請求項１７乃至２３のいずれか一項に記載の方法。
【請求項２５】
前記信号測定値は、セル信号測定値及びダウンリンクビームの信号測定値のいずれか１つ又は組合せを含む、請求項１７乃至２４のいずれか一項に記載の方法。
【請求項２６】
前記ログレコードは、第５の情報をさらに含み、該第５の情報は、前記ログレコードが生成されたときに前記端末が前記非アクティブ状態にあることを示す、請求項１５乃至２５のいずれか一項に記載の方法。
【請求項２７】
前記ログレコードを端末から受信する前に、当該方法は、
前記端末から第１のメッセージを受信するステップであって、該第１のメッセージには、前記第１の時間間隔に基づいて生成された前記ログレコードが前記端末にあることを示すために使用される情報、又は前記ＲＲＣ接続再開の失敗に基づいて生成された前記ログレコードが前記端末にあることを示すために使用される情報が含まれる、受信するステップと、
第２のメッセージを前記端末に送信するステップであって、前記第２のメッセージには、前記ログレコードを要求するために使用される情報が含まれる、送信するステップと、をさらに含む、請求項１６に記載の方法。
【請求項２８】
請求項１乃至１４のいずれか一項又は請求項１５乃至２７のいずれか一項に記載の前記通信方法を実施するように構成された通信機器。
【請求項２９】
コンピュータプログラムが実行されると、請求項１乃至１４のいずれか一項又は請求項１５乃至２７のいずれか一項に記載の通信方法が実施される、コンピュータプログラムを記憶する可読記憶媒体。
【発明の詳細な説明】
【技術分野】
【０００１】
本願は、２０１８年６月２９日に国家知的財産局に出願された、“COMMUNICATION  METHOD  AND  COMMUNICATION  APPARATUS（通信方法及び通信機器）”という表題の中国特許出願第２０１８１０７０１８０４．２号に対する優先権を主張するものであり、この文献は、その全体が参照により本明細書に組み込まれる。
【０００２】
本願の実施形態は、通信技術の分野、特に、通信方法及び通信機器に関する。
【背景技術】
【０００３】
モバイルネットワーク事業者は、基地局のカバレッジエリア内のモバイルネットワークの品質を評価する必要がある。評価には、カバレッジ品質及びカバレッジホール等の特定が含まれる。初期の段階では、評価のために手作業のドライブテストが実行されていた。ドライブテストには、主に、最初にテストエリアが決定され、次にテストルートが設計されることが含まれる。次に、テストルートに従って車両を手作業で運転し、測定データを収集する。測定データには、例えば、位置情報、物理層情報、メディアアクセス制御層情報、信号情報、及びシステム情報が含まれ得る。最後に、収集した測定データが処理される。処理プロセスには、例えば、データ解析、及び問題の特定及び解析が含まれ得る。データ解析は、主に、収集したデータに基づいて、コール・ドロップ（call  drop）率、コール完了率、トラフィック等を解析するために実行される。問題の特定及び解析は、収集したデータに基づいて、主に、端末又はネットワークで障害が発生したかどうかを解析するために実行される。
【０００４】
前述した手作業のドライブテストでは、試験担当者は、車両を自分で運転する必要がある。これには時間及び労力がかかる。従って、前述した問題を解決するために、現在、ドライブテストの最小化（Minimization  of  Drive  Test,  MDT）が提案されている。ＭＤＴとは、いくつかの特定の端末がＭＤＴログ（log）測定を実行し、次にログレコードをネットワーク装置に報告し、次に、ネットワーク装置は、端末によって報告されたログレコードに基づいてモバイルネットワークの品質評価を実行することを意味し、報告されるコンテンツには、無線アクセスネットワーク（Radio  Access  Network,  RAN）に関連するデータ、サービス品質（Quality  of  Service,  QoS）に関連するデータが含まれる。端末によって報告されたログレコードには、次の２つの場合に端末によって取得され得る。あるケースでは、端末がアイドル（idle）状態にあるときに、端末は、ネットワーク装置から受信した測定構成に基づいてＭＤＴログ測定を実行し、報告されるログレコードを取得する。他のケースでは、端末が接続状態にあるときに、無線リンク障害（Radio  Link  Failure,  RLF）が発生すると、ＭＤＴログ測定が実行され、報告されるログレコードが取得される。しかしながら、モバイル通信システムの進化により、既存のログレコード報告はネットワーク要件を満たすことができない。
【発明の概要】
【０００５】
本願の実施形態は、通信方法及び通信機器を提供し、それによって、ネットワーク装置がモバイルネットワーク品質評価に関するより多くのログレコードを取得できるようにする。従って、モバイル通信システム（例えば、５Ｇシステム）のネットワーク要件が満たされ、モバイルネットワーク品質評価の柔軟性が向上する。
【０００６】
第１の態様によれば、本願の実施形態は、通信方法を提供し、この方法は、ログレコードを生成するステップであって、ログレコードは、端末が非アクティブ状態にあるときに、ＭＤＴログ測定を実行することによって記録され、ログレコードは、端末の位置情報、端末のサービングセルの信号測定値、及び端末の少なくとも１つの隣接セルの信号測定値のいずれか１つ又は組合せを含み、非アクティブ状態は、エアインターフェイス接続が中断され、且つコンテキスト情報が保持される無線リソース制御（Radio  Resource  Control,  RRC）状態を指す、生成するステップと、
次に、端末が接続状態にあるときに、生成したログレコードをネットワーク装置に送信するステップと、を含む。
従って、ネットワーク装置は、モバイルネットワーク品質評価に関するより多くのログレコードを取得することができ、それによって、モバイル通信システム（例えば、５Ｇシステム）のネットワーク要件が満たされ、モバイルネットワーク品質評価の柔軟性が向上する。
【０００７】
オプションとして、ログレコードを生成するステップは、
第１の時間間隔が満了すると、ログレコードを生成するステップ、及び／又は
ＲＲＣ接続の再開に失敗すると、ログレコードを生成するステップを含む。
従って、この実施形態のログレコードは、定期的に生成されるログレコードに限定されるものではなく、複数のタイプのログレコードを含む。ネットワーク装置は、異なるタイプのログレコードに基づいてモバイルネットワーク評価を実行することができ、それによって、モバイル通信システムの複数のネットワーク要件がさらに満たされ、モバイルネットワーク品質評価の柔軟性がさらに向上する。
【０００８】
オプションとして、この方法は、ＭＤＴログ測定の構成情報を受信するステップをさらに含み、
ＭＤＴログ測定を実行するステップは、ＭＤＴログ測定の構成情報に基づいて、ＭＤＴログ測定を実行するステップを含む。
【０００９】
オプションとして、ＭＤＴログ測定の構成情報を受信するステップは、ＲＲＣメッセージを介してＭＤＴログ測定の構成情報を受信するステップを含み、
ＭＤＴログ測定の構成情報を受信した後に、この方法は、
タイマーを開始するステップであって、タイマーの期間は前記期間である、開始するステップをさらに含み、
ＭＤＴログ測定を実行するステップは、タイマーが時間切れになる前にログ測定の構成情報に基づいてＭＤＴログ測定を実行するステップを含む。
このようにして、端末は、ＭＤＴログ測定の構成情報に基づいてＭＤＴログ測定を常に実行することが防止され、それによって、端末は、ＭＤＴログ測定をより柔軟に実行することができる。
【００１０】
オプションとして、ＭＤＴログ測定の構成情報は、測定閾値を含み、
ログレコードを生成するステップは、サービングセルの信号測定値が測定閾値以下であるときにログレコードを生成するステップを含む。
従って、サービングセルの信号測定値であり、測定閾値よりも大きい信号測定値をネットワーク装置に報告する必要がないため、生成されるログレコードの量が削減される。
【００１１】
オプションとして、この方法は、
第１の時間間隔が満了したときに生成したログレコードを第１の変数に格納するステップ、及び／又は
ＲＲＣ接続の再開に失敗したときに生成したログレコードを第２の変数に格納するステップをさらに含む。
２つのタイプのログレコードが異なる変数に格納されるため、各タイプのログレコードを容易且つ迅速に見つけることができ、それによりログレコードの送信効率が向上する。
【００１２】
オプションとして、生成したログレコードをネットワーク装置に送信する前に、この方法は、
第１のメッセージをネットワーク装置に送信するステップであって、第１のメッセージには、第１の時間間隔に基づいて生成されたログレコードが端末にあることを示すために使用される情報、及び／又はＲＲＣ接続再開の失敗に基づいて生成されたログレコードが端末にあることを示すために使用される情報が含まれる、送信するステップと、
次に、ネットワーク装置から第２のメッセージを受信するステップであって、第２のメッセージには、ログレコードを要求するために使用される情報が含まれる、受信するステップと、をさらに含む。
従って、端末は、ネットワーク装置がログレコードを要求する必要がある場合にのみ、ログレコードをネットワーク装置に送信し、送信リソースの浪費を回避する。
【００１３】
第２の態様によれば、本願の実施形態は、通信方法を提供し、この方法は、
端末からログレコードを受信するステップと、
次に、ログレコードを処理するステップと、を含み、
ログレコードは、端末が非アクティブ状態にあるときにＭＤＴログ測定を実行することによって生成され、非アクティブ状態は、エアインターフェイス接続が中断され、且つコンテキスト情報が保持されるＲＲＣ状態を指し、
ログレコードは、端末の位置情報、端末のサービングセルの信号測定値、及び端末の少なくとも１つの隣接セルの信号測定値のいずれか１つ又は組合せを含む。
従って、ネットワーク装置は、モバイルネットワーク品質評価に関するより多くのログレコードを取得することができ、それによって、モバイル通信システム（例えば、５Ｇシステム）のネットワーク要件が満たされ、モバイルネットワーク品質評価の柔軟性が向上する。
【００１４】
オプションとして、ログレコードは、第１の時間間隔が満了したときに端末によって生成され、及び／又はＲＲＣ接続の再開に失敗したときに生成される。
従って、この実施形態のログレコードは、定期的に生成されるログレコードに限定されるものではなく、複数のタイプのログレコードを含む。ネットワーク装置は、異なるタイプのログレコードに基づいてモバイルネットワーク評価を実行することができ、それによって、モバイル通信システムの複数のネットワーク要件がさらに満たされ、モバイルネットワーク品質評価の柔軟性がさらに向上する。
【００１５】
オプションとして、この方法は、ＭＤＴログ測定の構成情報を端末に送信するステップをさらに含み、
ＭＤＴログ測定の構成情報は、端末がＭＤＴログ測定を実行するために使用される。
【００１６】
オプションとして、ＭＤＴログ測定の構成情報を端末に送信するステップは、ＭＤＴログ測定の構成情報をＲＲＣメッセージを介して端末に送信するステップを含む。
【００１７】
オプションとして、ＭＤＴログ測定の構成情報は、測定閾値をさらに含み、測定閾値は、サービングセルの信号測定値が測定閾値以下であるときに、端末がログレコードを生成するために使用される。
従って、端末が生成するログレコードの量を削減することができ、ネットワーク装置が受信するログレコードの量も削減することができる。
【００１８】
オプションとして、端末からログレコードを受信する前に、この方法は、端末から第１のメッセージを受信するステップであって、第１のメッセージには、第１の時間間隔に基づいて生成されたログレコードが端末にあることを示すために使用される情報、又はＲＲＣ接続再開の失敗に基づいて生成されたログレコードが端末にあることを示すために使用される情報が含まれる、受信するステップと、
次に、第２のメッセージを端末に送信するステップであって、第２のメッセージには、ログレコードを要求するために使用される情報が含まれる、送信するステップと、をさらに含む。
従って、ネットワーク装置は、ネットワーク装置がログレコードを必要とするときに端末からログレコードを要求し、次に端末からログレコードを受信して、送信リソースの浪費を回避する。
【００１９】
第１の態様又は第２の態様に関して、以下をさらに含むことができる。
【００２０】
オプションとして、ＲＲＣメッセージは、非アクティブ状態に入るように端末に示すために使用されるメッセージである。
従って、ＲＲＣメッセージを使用してＭＤＴログ測定の構成情報を伝達でき、新しいメッセージを追加する必要はない。
【００２１】
オプションとして、ＭＤＴログ測定の構成情報は、第１の情報を含み、第１の情報は、ＭＤＴログ測定が信号品質測定を含むことを示すために使用される。
【００２２】
オプションとして、ＭＤＴログ測定の構成情報は、第２の情報をさらに含み、第２の情報は、信号品質測定におけるセマフォが、参照信号受信電力（Reference  Signal  Receiving  Power,  RSRP）、参照信号受信品質（Reference  Signal  Received  Quality,  RSRQ）、及び信号対干渉プラス雑音比（Signal  to  Interference  plus  Noise  Ratio,  SINR）のいずれか１つ又は組合せを含むことを示す。
【００２３】
オプションとして、ＭＤＴログ測定の構成情報は、第３の情報を含み、第３の情報は、第１の時間間隔を示す。
【００２４】
オプションとして、ＭＤＴログ測定の構成情報は、第４の情報を含み、第４の情報は、ＭＤＴログ測定の構成情報の期間を示す。
このようにして、端末は、ＭＤＴログ測定の構成情報に基づいて、ＭＤＴログ測定を常に実行することが防止され、それによって、端末は、ＭＤＴログ測定をより柔軟に実行することができる。
【００２５】
オプションとして、信号測定値は、セル信号測定値及びダウンリンクビームの信号測定値のいずれか１つ又は組合せを含む。
従って、ログレコードは、ダウンリンクビームの信号測定値を含むことができ、ビームを含むモバイルネットワークでの品質評価により適している。
【００２６】
オプションとして、ログレコードは、第５の情報をさらに含み、第５の情報は、ログレコードが生成されたときに端末が非アクティブ状態にあることを示し、それによって、ログレコードは、端末が別のＲＲＣ状態にあるときに生成したログレコードから区別される。
様々なＲＲＣ状態のログレコードを使用してモバイルネットワーク評価を実行するため、モバイルネットワーク評価の精度がさらに向上し得る。
【００２７】
第３の態様によれば、本願の実施形態は、通信機器を提供し、この通信機器は、
第１の態様による通信方法を実施するように構成されたモジュール、部品、又は回路、或いは
第２の態様による通信方法を実施するように構成されたモジュール、部品、又は回路を含む。
【００２８】
第４の態様によれば、本願の実施形態は、プロセッサ及びトランシーバを含む通信機器を提供する。プロセッサ及びトランシーバは、第１の態様又は第２の態様において、本願の実施形態のいずれか１つによる通信方法を実行するように構成される。
【００２９】
第５の態様によれば、本願の実施形態は、メモリ及びプロセッサを含むチップを提供する。メモリは、プログラム命令を格納するように構成され、プロセッサは、メモリ内のプログラム命令を呼び出して、第１の態様又は第２の態様における本願の実施形態のいずれか１つによる通信方法を実行するように構成される。
【００３０】
第６の態様によれば、本願の実施形態は、可読記憶媒体を提供する。可読記憶媒体は、コンピュータプログラムを記憶する。コンピュータプログラムが実行されると、第１の態様又は第２の態様における本願の実施形態のいずれか１つに記載の通信方法が実施される。
【００３１】
第７の態様によれば、本願の実施形態は、プログラム製品を提供する。プログラム製品はコンピュータプログラムを含み、コンピュータプログラムは可読記憶媒体に記憶される。通信機器の少なくとも１つのプロセッサは、可読記憶媒体からコンピュータプログラムを読み出すことができ、少なくとも１つのプロセッサは、コンピュータプログラムを実行するので、通信機器は、第１の態様又は第２の態様における本願の実施形態のいずれか１つによる通信方法を実施する。
【図面の簡単な説明】
【００３２】
【図１】本願の実施形態による通信システムの概略図である。
【図２】本願の実施形態によるネットワーク装置のプロトコルスタックの概略図である。
【図３】本願の実施形態による通信方法のフローチャートである。
【図４】本願の別の実施形態による通信方法のフローチャートである。
【図５】本願の実施形態による通信機器の概略構造図である。
【図６】本願の実施形態による端末の概略構造図である。
【図７】本願の別の実施形態による通信機器の概略構造図である。
【図８】本願のさらに別の実施形態による通信機器の概略構造図である。
【発明を実施するための形態】
【００３３】
図１は、本願の実施形態による通信システムの概略図である。図１に示されるように、通信システムは、ネットワーク装置及び端末を含む。
【００３４】
当業者がよりよく理解するのに役立つように、本願のいくつかの用語を以下に説明する。
【００３５】
ネットワーク装置は、無線アクセスネットワーク（Radio  Access  Network,  RAN）装置とも呼ばれ、端末がワイヤレスネットワークにアクセスするのを可能にする装置であり、ロングタームエボリューション（Long  Term  Evolution、LTE）における進化型ノードＢ（Evolutional  Node  B,  eNB,  又はeNodeB）、中継局又はアクセスポイント、又は５Ｇネットワークの基地局（例えば、送受信ポイント（Transmission  and  Receive  Point,  TRP）又はコントローラであり得る。これは本明細書では限定されない。可能な実施態様では、アクセスネットワーク装置は、ＣＵ−ＤＵ分離アーキテクチャを含む基地局（例えば、ｇＮＢ）であり得る。図２に示されるように、図２は、本願の実施形態によるネットワーク装置のプロトコルスタックの概略図である。ＲＡＮ装置は、コアネットワーク装置（例えば、ＬＴＥコアネットワーク又は５Ｇコアネットワーク）に接続され得る。ＣＵ及びＤＵは、論理機能の観点からの基地局の分割として理解され得る。ＣＵ及びＤＵは、物理的に分離される場合と、物理的に一緒に展開される場合とがある。複数のＤＵが１つのＣＵを共有することができる。あるいはまた、１つのＤＵを複数のＣＵに接続することができる（図には示されていない）。ＣＵ及びＤＵは、インターフェイス、例えば、Ｆ１インターフェイスを用いて接続され得る。ＣＵ及びＤＵは、ワイヤレスネットワークのプロトコル層に基づいて分割できる。例えば、無線リソース制御（Radio  Resource  Control,  RRC）層、サービスデータ適応プロトコル（Service  Data  Adaptation  Protocol,  SDAP）層、及びパケットデータコンバージェンスプロトコル（packet  data  convergence  protocol,  PDCP）層の機能がＣＵに分配（distribute）され、無線リンク制御（radio  link  control,  RLC）層、メディアアクセス制御（Media  Access  Control,  MAC）層、物理（physical,  PHY）層等の機能がＤＵに分配される。プロトコル層に基づくＣＵ及びＤＵの処理機能への分割は単なる一例であり、代替的に、ＣＵ及びＤＵの処理機能を別の方法で分割することができることが理解され得る。例えば、ＣＵ又はＤＵを分割して、より多くのプロトコル層の機能を持たせることができる。例えば、ＣＵ又はＤＵは、代替的に、プロトコル層のいくつかの処理機能を有するように分割され得る。ある設計では、ＲＬＣ層のいくつかの機能とＲＬＣ層より上のプロトコル層の機能とがＣＵに分配され、ＲＬＣ層の残りの機能とＲＬＣ層より下のプロトコル層の機能がＤＵに分配される。別の設計では、ＣＵ又はＤＵの機能は、代替的に、サービスタイプ又は別のシステム要件に基づいて分割され得る。例えば、分割は遅延に基づいて実行される。処理時間が遅延要件を満たす必要がある機能はＤＵに分配され、遅延要件を満たす必要がない機能はＣＵに分配される。別の設計では、ＣＵは、代替的に、コアネットワークの１つ又は複数の機能を有し得る。１つ又は複数のＣＵは、集中化した方法又は分離した方法で配置され得る。例えば、ＣＵは、集中管理のためにネットワーク側に配置され得る。ＤＵは、複数の無線周波数機能を有することができ、無線周波数機能は、遠隔設定することができる。
【００３６】
ＣＵの機能は、１つのエンティティによって実現され得るか、又は異なるエンティティによって実現され得る。例えば、ＣＵの機能をさらに分割することができる。例えば、コントロールプレーン（CP）は、ユーザープレーン（UP）、つまりＣＵのコントロールプレーン（CU-CP）及びＣＵのユーザープレーン（CU-UP）から分離される。例えば、ＣＵ−ＣＰ及びＣＵ−ＵＰは、異なる機能エンティティによって実現され得る。ＣＵ−ＣＰ及びＣＵ−ＵＰをＤＵに結合して、基地局の機能を共同で実現することができる。可能な実施態様では、ＣＵ−ＣＰはコントロールプレーン機能を担当し、主にＲＲＣ及びＰＤＣＰ−Ｃを含む。ＰＤＣＰ−Ｃは、主に、コントロールプレーンでのデータの暗号化及び復号化、整合性保護、データ送信等を担当する。ＣＵ−ＵＰはユーザープレーン機能を担当し、主にＳＤＡＰ及びＰＤＣＰ−Ｕを含む。ＳＤＡＰは、主に、コアネットワークのデータを処理し、データフロー（flow）をベアラにマッピングすることを担当する。ＰＤＣＰ−Ｕは、主に、データプレーンでの暗号化及び復号化、整合性保護、ヘッダー圧縮、シリアル番号の保守、データ送信等を担当する。ＣＵ−ＣＰは、Ｅ１インターフェイスを用いてＣＵ−ＵＰに接続される。ＣＵ−ＣＰは、ｇＮＢがＮｇインターフェイスを用いてコアネットワークに接続されることを表す。ＣＵ−ＣＰは、Ｆ１−Ｃ（コントロールプレーン）インターフェイスを用いてＤＵに接続される。ＣＵ−ＵＰは、Ｆ１−Ｕ（ユーザープレーン）インターフェイスを用いてＤＵに接続される。確かに、別の可能な実施態様は、ＰＤＣＰ−ＣもＣＵ−ＵＰにあるということである。
【００３７】
端末は、無線端末又は有線端末であり得る。無線端末は、無線トランシーバ機能を有する装置を指す場合があり、屋内又は屋外の装置、ハンドヘルド装置、又は車載装置を含んで、陸上に展開することができる；又は、水面（例えば、蒸気船）に展開することができる；又は、空中（例えば、飛行機、気球、衛星等）に展開することができる。端末は、携帯電話（mobile  phone）、タブレットコンピュータ（Pad）、無線トランシーバ機能を有するコンピュータ、仮想現実（Virtual  Reality,  VR）端末、拡張現実（Augmented  Reality,  AR）端末、産業用制御（industrial  control）の無線端末、自走式（self  driving）の無線端末、遠隔医療（remote  medical）の無線端末、スマートグリッド（smart  grid）の無線端末、安全輸送（transportation  safety）の無線端末、スマートシティ（smart  city）の無線端末、スマートホーム（smart  home）の無線端末等であり得る。これは本明細書では限定されない。本願の実施形態では、端末は、ユーザ機器（user  equipment,  UE）とも呼ばれ得ることが理解され得る。
【００３８】
５Ｇモバイル通信システムでは、アイドル状態及び接続状態に加えて、端末の無線リソース制御（Radio  Resource  Control,  RRC）状態は、非アクティブ（inactive）状態をさらに含む。非アクティブ状態では、エアインターフェイス接続は中断（suspend）されるが、端末は依然としてコンテキスト情報を格納している。端末が接続（active：アクティブ）状態に入る必要がある場合に、端末は、格納しれたコンテキスト情報に基づいて接続状態に迅速に戻ることができる。これに対応して、端末が非アクティブ状態に入るときに、基地局はまた、端末のコンテキスト情報を格納する。
【００３９】
図３は、本願の実施形態による通信方法のフローチャートである。図３に示されるように、この実施形態における方法は、以下のステップを含み得る。
【００４０】
Ｓ３０１：端末が、ログレコードを生成し、ここで、ログレコードは、端末が非アクティブ状態にあるときに、ＭＤＴログ測定を実行することによって記録される。
【００４１】
この実施形態では、非アクティブ状態にあるときに、端末は、ＭＤＴログ測定を実行し、それによって、ログレコードが生成され得る。ログレコードは、端末の位置情報、端末のサービングセルの信号測定値、及び端末の少なくとも１つの隣接セルの信号測定値のいずれか１つ又は組合せを含む。
【００４２】
可能な方法では、端末は、生成したログレコードを格納することができる。
【００４３】
例えば、ログレコードは、端末の位置情報を含む、又は
ログレコードは、端末のサービングセルの信号測定値を含む、又は
ログレコードは、端末の少なくとも１つの隣接セルの信号測定値を含む、又は
ログレコードは、端末の位置情報、及び端末のサービングセルの信号測定値を含む、又は
ログレコードは、端末の位置情報、及び端末の少なくとも１つの隣接セルの信号測定値を含む、又は
ログレコードは、端末のサービングセルの信号測定値、及び端末の少なくとも１つの隣接セルの信号測定値を含む、又は
ログレコードは、端末の位置情報、端末のサービングセルの信号測定値、及び端末の少なくとも１つの隣接セルの信号測定値を含む。
【００４４】
端末の位置情報は、地理的位置情報、例えば衛星測位システムを用いて取得した地理的位置情報であり得るか、又は端末が現在位置しているサービングセルに関する情報及び／又は隣接するセルに関する情報であり得る。
【００４５】
オプションとして、端末は、非アクティブ状態に入った後にＭＤＴログ測定を実行し、特定の条件が満たされたときにログレコードを生成する。
【００４６】
可能な方法では、満たされる特定の条件は、例えば第１の時間間隔が満了することであり得る。例えば、端末は、第１の時間間隔が満了したときにログレコードを生成することができる。第１の時間間隔が１０ミリ秒である場合に、非アクティブ状態に入った後に、端末は、ＭＤＴログ測定を実行し、ログレコードを１０ミリ秒毎に生成する。オプションとして、端末が接続状態に入った後に、端末はログレコードの生成を停止する。第１の時間間隔は、例えば、端末のためにネットワーク装置によって構成され得るか、又は予め規定されたデフォルト値であり得る。これは、本願のこの実施形態に限定されない。
【００４７】
あるいはまた、満たされる特定の条件は、例えば、ＲＲＣ接続の再開に失敗することであり得る。例えば、端末は、ＲＲＣ接続の再開に失敗したときに、ログレコードを生成する場合がある。具体的には、端末は、非アクティブ状態に入った後にＭＤＴログ測定を実行し、そしてＲＲＣ接続の再開に失敗した場合にログレコードを生成する。
【００４８】
いくつかの実施形態では、満たされる特定の条件は、例えば、第１の時間間隔が満了するか、又はＲＲＣ接続の再開に失敗することであり得る。具体的には、ログレコードの生成は、第１の時間間隔が満了したとき、又はＲＲＣ接続の再開に失敗したときにトリガーされる。例えば、端末は、第１の時間間隔が満了したときにログレコードを生成し、また、ＲＲＣ接続の再開に失敗したときにログレコードを生成することができる。
【００４９】
従って、端末が生成したログレコードは、第１の時間間隔に基づいて生成されたログレコードを含み得、また、ＲＲＣ接続再開の失敗に基づいて生成されたログレコードを含み得る。２つのログレコードのタイプは異なる。従って、２つのタイプのログレコードを分類して端末側に格納する、つまり異なる変数で置くことができる。例えば、第１の変数は、定期的に生成されるログレコードに対応し、第２の変数は、ＲＲＣ接続の再開に失敗したときに生成されるログレコードに対応する。
【００５０】
この実施形態のログレコードは、定期的に生成されるログレコードに限定されるものではなく、複数のタイプのログレコードを含む。ネットワーク装置は、異なるタイプのログレコードに基づいてモバイルネットワーク評価を実行することができ、それによって、モバイル通信システムの複数のネットワーク要件がさらに満たされ、モバイルネットワーク品質評価の柔軟性がさらに向上する。また、２つのタイプのログレコードは異なる変数で格納されるため、各タイプのログレコードを容易且つ迅速に見つけることができ、それによりログレコードの送信効率が向上する。
【００５１】
端末が生成したログレコードは、１つ又は複数のログレコードを含み得ることが理解され得る。これは、本願のこの実施形態に限定されない。
【００５２】
Ｓ３０２：端末が接続状態にあるときに、生成したログレコードをネットワーク装置に送信する。
【００５３】
Ｓ３０３：ネットワーク装置は、ログレコードを処理する。
【００５４】
オプションとして、本願のこの実施形態では、ログレコードを受信した後に、ネットワーク装置は、対応する処理、例えば、記憶及び／又は解析処理を実行することができる。解析処理は、例えば、ネットワーク装置のカバレッジエリア内のモバイルネットワークの品質評価及び／又はモバイルネットワークの最適化を含み得る。ネットワーク装置の特定の処理動作は、本願のこの実施形態では限定されない。
【００５５】
この実施形態では、端末が非アクティブ状態から接続状態に入った後に、端末は、端末が非アクティブ状態にあるときに生成したログレコードをネットワーク装置に送信することができる。オプションとして、端末は、端末によって格納され、且つ端末が非アクティブ状態にあるときに生成したログレコードをネットワーク装置に送信することができる。例えば、端末は、端末が非アクティブ状態にある場合に、合計１００個のログレコードを生成する。端末に格納されるログレコードの記憶容量には限りがあるため、端末は最新の５０個のログレコードのみを格納する。この場合に、端末は、端末が生成した５０個のログレコードをネットワーク装置に送信する。これに対応して、ネットワーク装置は、端末からログレコードを受信し、次に受信したログレコードを処理する。例えば、ネットワーク装置は、ログレコードを処理して、ネットワーク装置のカバレッジエリア内のモバイルネットワークの品質を評価し、モバイルネットワークを最適化する。
【００５６】
いくつかの他の実施形態では、端末は、端末が別のＲＲＣ状態（例えば、非アクティブ状態）にあるときに、ログレコードをネットワーク装置に送信することもできる。
【００５７】
この実施形態で提供される通信方法によれば、非アクティブ状態にあるとき、端末は、ＭＤＴログ測定を実行し、また、ログレコードを生成する。さらに、接続状態にある場合に、端末は、生成したログレコードをネットワーク装置に送信する。従って、ネットワーク装置は、モバイルネットワーク品質評価に関するより多くのログレコードを取得することができ、それによって、モバイル通信システム（例えば、５Ｇシステム）のネットワーク要件が満たされ、モバイルネットワーク品質評価の柔軟性が向上する。
【００５８】
いくつかの実施形態では、接続状態に入った後であって、ログレコードをネットワーク装置に送信する前に、端末は、第１のメッセージをネットワーク装置に送信する。第１のメッセージには、第１の時間間隔に基づいて生成されたログレコードが端末にあることを示すために使用される情報、及び／又はＲＲＣ接続再開の失敗に基づいて生成されたログレコードが端末にあることを示すために使用される情報が含まれる。いくつかの他の実施形態では、第１のメッセージには、ログレコードが端末にあることを示すために使用される情報が含まれる。この情報は、ログレコードが端末にあることをネットワーク装置に通知するために使用されるが、ログレコードが第１の時間間隔に基づいて生成されたか、又はＲＲＣ接続再開の失敗に基づいて生成されたかどうかをネットワーク装置に通知しない。複数の生成したログレコードが全て第１の時間間隔で端末によって生成される場合に、第１のメッセージには、第１の時間間隔に基づいて生成されたログレコードが端末にあることを示すために使用される情報が含まれる。ＲＲＣ接続の再開に失敗したときに、複数の生成したログレコードが全て端末によって生成される場合に、第１のメッセージには、ＲＲＣ接続再開の失敗に基づいて生成されたログレコードが端末にあることを示すために使用される情報が含まれる。いくつかのログレコードが第１の時間間隔で端末によって生成され、残りのログレコードがＲＲＣ接続の再開に失敗したときに端末によって生成される場合に、第１のメッセージには、第１の時間間隔に基づいて生成されたログレコードが端末にあることを示すために使用される情報、及びＲＲＣ接続再開の失敗に基づいて生成されたログレコードが端末にあることを示すために使用される情報が含まれる。
【００５９】
これに対応して、ネットワーク装置は、端末から第１のメッセージを受信し、第１のメッセージに基づいて、ログレコードのタイプ又は端末内のログレコードがどの様に生成されたかを決定し、次に、ネットワーク装置がログレコードを取得する必要があるかどうかを決定する。ネットワーク装置が、このネットワーク装置がログレコードを取得する必要があると決定した場合に、ネットワーク装置は、第２のメッセージを端末に送信する。第２のメッセージには、ログレコードを要求するために使用される情報が含まれる。これに対応して、端末は、ネットワーク装置から第２のメッセージを受信し、第２のメッセージに基づいて、ネットワーク装置がログレコードを取得する必要があると決定し、次に、端末が生成したログレコードをネットワーク装置に送信する。従って、端末は、ネットワーク装置がログレコードを要求する必要がある場合にのみ、ログレコードをネットワーク装置に送信し、送信リソースの浪費を回避する。
【００６０】
オプションとして、ネットワーク装置が第１の時間間隔に基づいて生成されたログレコードを取得する必要がある場合に、第２のメッセージには、第１の時間間隔に基づいて生成されたログレコードを要求するために使用される情報が含まれ得る。ネットワーク装置がＲＲＣ接続再開の失敗に基づいて生成されたログレコードを取得する必要がある場合に、第２のメッセージには、ＲＲＣ接続再開の失敗に基づいて生成されたログレコードを要求するために使用される情報が含まれ得る。ネットワーク装置が２つのタイプのログレコードを取得する必要がある場合に、第２のメッセージには、ログレコードを要求するために使用される情報が含まれ得るが、この情報は、ネットワーク装置が要求するタイプのログレコードを示していない。情報を受信した後に、端末は、端末に格納されている全てのログレコードをネットワーク装置に送信する。ネットワーク装置が２つのタイプのログレコードを取得する必要がある場合に、第２のメッセージには、第１の時間間隔に基づいて生成されたログレコード、及びＲＲＣ接続再開の失敗に基づいて生成されたログレコードを要求するために使用される情報が含まれ得る。
【００６１】
オプションとして、端末が第１のメッセージをネットワーク装置に送信する前に、端末は、非アクティブ状態から接続状態に入る。例えば、端末は、ＲＲＣ再開要求（RRC  resume  Request）メッセージをネットワーク装置に送信する。次に、ネットワーク装置は、受信したＲＲＣ再開要求メッセージに基づいてＲＲＣ再開（RRC  resume）メッセージを端末に送信し、端末は、受信したＲＲＣ再開メッセージに基づいて接続モードに入る。接続状態に入った後に、端末は、第１のメッセージをネットワーク装置に送信する。第１のメッセージは、例えば、ＲＲＣ再開完了（RRC  resume  Complete）メッセージであり得る。第２のメッセージは、例えば、ＵＥ情報要求（UE  information  Request）メッセージである。ＵＥ情報要求メッセージを受信した後に、端末は、生成したログレコードを、ＵＥ情報応答（UE  information  Response）メッセージを介してネットワーク装置に送信することができる。
【００６２】
オプションとして、Ｓ３０２の前に、この方法は、ステップＳ３００をさらに含み得る。
【００６３】
Ｓ３００：ネットワーク装置は、ＭＤＴログ測定の構成情報を端末に送信する。
【００６４】
この実施形態では、ネットワーク装置は、ＭＤＴログ測定の構成情報を端末に送信することができる。これに対応して、端末は、ネットワーク装置からＭＤＴログ測定の構成情報を受信する。次に、端末はＳ３０１及びＳ３０２を実行する。非アクティブ状態に入った後に、端末は、ＭＤＴログ測定の構成情報に基づいてＭＤＴログ測定を実行することができる。ログ測定の構成情報を端末に送信するネットワーク装置と、端末がログレコードを送信するネットワーク装置とは、同じネットワーク装置であっても、又は異なるネットワーク装置であってもよいことに留意されたい。図３は、ログ測定の構成情報を端末に送信するネットワーク装置と、端末がログレコードを送信するネットワーク装置とが同じネットワーク装置である例を用いて示している。本願はこれに限定されない。
【００６５】
いくつかの実施形態では、ネットワーク装置は、ＭＤＴログ測定の構成情報を、ＲＲＣメッセージを介して端末に送信することができる。これに対応して、端末は、ネットワーク装置からＲＲＣメッセージを受信し、ＲＲＣメッセージからＭＤＴログ測定構成を取得する。
【００６６】
オプションとして、ＲＲＣメッセージは、非アクティブ状態に入るように端末に示すために使用されるメッセージであり得る。具体的には、ネットワーク装置は、端末を非アクティブ状態に入れるように構成している間に、ＭＤＴログ測定の構成情報を端末に送信することができる。これに対応して、ＲＲＣメッセージを受信した後に、端末は、非アクティブ状態に入り、次にＳ３０２及びＳ３０２を実行する。ＲＲＣメッセージは、例えば、非アクティブ状態に入るように端末に示すために使用される情報を伝達するＲＲＣ接続解放（release）メッセージである。従って、ＲＲＣメッセージを使用してＭＤＴログ測定の構成情報を伝達でき、新しいメッセージを追加する必要はない。あるいはまた、ＭＤＴログ測定の構成情報を送信しない場合があることが理解され得る。具体的には、ＲＲＣメッセージは、ＭＤＴログ測定の構成情報を伝達しない場合がある。ＲＲＣメッセージを受信した後に、端末は、デフォルトの（例えば、予め規定された）パラメータ又は設定に基づいて、ＭＤＴログ測定を実行することができる。
【００６７】
あるいはまた、ＭＤＴログ測定の構成情報は、別のメッセージを介して、又は別の形態で送信され得ることが理解され得る。例えば、ＭＤＴログ測定の構成情報は、１つの専用シグナリングを介して送信される。これは、本願のこの実施形態に限定されない。
【００６８】
いくつかの実施形態では、ＭＤＴログ測定の構成情報は、第１の情報を含む。第１の情報は、ＭＤＴログ測定が信号品質測定を含むことを示すために使用される。これに対応して、端末は、ＭＤＴログ測定を実行しながら信号品質測定を実行する。
【００６９】
第１の情報は、ＭＤＴログ測定の実行が信号強度測定の実行を含むことを示すためにも使用され得る。
【００７０】
信号品質は、信号強度によって表され得ることが理解され得る。この理解に基づいて、信号品質測定は信号強度測定も含むと考えることができる。
【００７１】
あるいはまた、信号品質測定及び信号強度測定は、異なる次元と見なされ得る。オプションとして、第１の情報は、ＭＤＴログ測定が信号品質測定及び／又は信号強度測定を含むことを示すために使用され得る。これに対応して、端末は、ＭＤＴログ測定を実行しながら、信号品質測定及び信号強度測定を実行する。
【００７２】
本願のこの実施形態では、信号強度測定値及び信号品質測定値を総称して信号測定値と呼ぶ場合がある。確かに、オプションとして、ＭＤＴログ測定の構成情報は、第２の情報をさらに含み、第２の情報は、信号品質測定におけるセマフォが、参照信号受信電力（Reference  Signal  Receiving  Power,  RSRP）、参照信号受信品質（Reference  Signal  Received  Quality,  RSRQ）、及び信号対干渉プラス雑音比（Signal  to  Interference  plus  Noise  Ratio,  SINR）のいずれか１つ又は組合せを含むことを示す。ＳＩＮＲは、信号品質を表すために使用され得る。
【００７３】
例えば、信号品質測定におけるセマフォは、ＲＳＲＰを含む、又は
信号品質測定におけるセマフォは、ＲＳＲＱを含む、又は
信号品質測定におけるセマフォは、ＳＩＮＲを含む、又は
信号品質測定におけるセマフォは、ＲＳＲＰ及びＲＳＲＱを含む、又は
信号品質測定におけるセマフォは、ＲＳＲＰ及びＳＩＮＲを含む、又は
信号品質測定におけるセマフォは、ＲＳＲＱ及びＳＩＮＲを含む、又は
信号品質測定におけるセマフォは、ＲＳＲＰ、ＲＳＲＱ、及びＳＩＮＲを含む。
【００７４】
これに対応して、ＭＤＴログ測定を実行するときに、端末は、第２の情報に基づいて、信号のＲＳＲＰ、ＲＳＲＱ、及びＳＩＮＲのいずれか１つ又は組合せを測定する。従って、端末が生成したログレコードに含まれる信号測定値は、ＲＳＲＰ、ＲＳＲＱ、及びＳＩＮＲのいずれか１つ又は組合せの測定値である。
【００７５】
オプションとして、信号品質測定は、マルチメディアブロードキャストマルチキャストサービス単一周波数ネットワーク（Multimedia  Broadcast  multicast  service  Single  Frequency  Network,  MBSFN）測定を含み得、ＲＳＲＰ、ＲＳＲＱ、及びＳＩＮＲのいずれか１つ又は組合せが、ＭＢＳＦＮ測定を介して得られ得る。
【００７６】
いくつかの実施形態では、ＭＤＴログ測定の構成情報には、測定閾値が含まれ得る。端末は、第１の時間間隔が満了したときに、サービングセルの信号測定値が測定閾値より大きいかどうかを判定する。サービングセルの信号測定値が測定閾値以下である場合に、端末はログレコードを生成する。サービングセルの信号測定値が測定閾値よりも大きい場合に、端末はログレコードを生成しない。サービングセルの信号測定値が測定閾値よりも大きい場合に、サービングセルの信号品質は良好であり、エアインターフェイスは正常であると見なすことができる。この場合に、サービングセルの信号測定値をネットワーク装置に報告する必要がないため、生成されるログレコードの量が削減される。
【００７７】
オプションとして、信号測定値は、信号品質値を含み得る。信号品質値は、例えば、ＲＳＲＰ、ＲＳＲＱ、及びＳＩＮＲのいずれか１つ又は組合せを用いて表すことができる。あるいはまた、信号測定値は、信号品質値及び信号強度値を含み得る。信号品質値は、例えば、ＲＳＲＱ及びＳＩＮＲを用いて表すことができ、信号強度値は、ＲＳＲＱを用いて表すことができる。あるいはまた、信号測定値は、信号強度値を含み得る。信号測定値は、例えば、ＲＳＲＰを用いて表すことができる。
【００７８】
いくつかの実施形態では、ＭＤＴログ測定の構成情報は、第３の情報を含み得、第３の情報は、第１の時間間隔を示す。従って、ＭＤＴログ測定の構成情報を受信した後に、端末は、ＭＤＴログ測定の構成情報から第１の時間間隔を取得する。非アクティブ状態に入った後に、端末は、ＭＤＴログ測定を実行し、ＭＤＴログ測定の構成情報から取得した第１の時間間隔が満了したときにログレコードを生成する。可能な方法では、端末がＭＤＴログ測定の構成情報を受信した後に、端末が非アクティブ状態に入ると、端末は、定期的なタイマー（これは第１のタイマーとも呼ばれ得る）を開始する。定期的なタイマーの期間は、取得した第１の時間間隔の長さである。定期的なタイマーが時間切れになると、端末は、ログレコードを生成し、定期的なタイマーを再開する。この実施形態における第１の時間間隔は、端末のためにネットワーク装置によって構成される。
【００７９】
いくつかの実施形態では、ＭＤＴログ測定の構成情報は、第４の情報を含み得、第４の情報は、ＭＤＴログ測定の構成情報の期間を示す。従って、ＭＤＴログ測定の構成情報を受信した後に、端末は、タイマー（第２のタイマーとも呼ばれ得る）を開始し、第２のタイマーの値を前記期間に設定する。第２のタイマーが時間切れになっていない場合に、ＭＤＴログ測定の構成情報は有効であり、端末は、ＭＤＴログ測定の構成情報に基づいてＭＤＴログ測定を実行する。第２のタイマーが時間切れになった場合に、ＭＤＴログ測定の構成情報は無効になり、端末は、もはやＭＤＴログ測定の構成情報に基づいてＭＤＴログ測定を実行しなくなる。従って、端末は、ＭＤＴログ測定の構成情報に基づいてＭＤＴログ測定を常に実行することが防止され、それによって、端末は、ＭＤＴログ測定をより柔軟に実行することができる。
【００８０】
オプションとして、第２のタイマーが時間切れになる前に端末が非アクティブ状態から接続状態に入った場合に、第２のタイマーは動作し続けることができるが、接続状態の端末は、ＭＤＴログ測定を実行せず、第２のタイマーの動作中にログレコードを生成しない。そして、端末が接続状態から再び非アクティブ状態に入った後に、又は第２タイマーが時間切れになる前に接続状態からアイドル状態に入った後に、第２タイマーが動作し続ける場合に、第２タイマーの動作中に、非アクティブ状態又はアイドル状態の端末は、ＭＤＴログ測定の構成情報に基づいてＭＤＴログ測定を実行し、ログレコードを生成し得る。第２のタイマーが時間切れになる前に端末が非アクティブ状態からアイドル状態に入った場合に、第２のタイマーは動作し続けることができ、第２のタイマーの動作中に、アイドル状態の端末は、アイドル状態の端末に適用可能なログ測定の構成情報に基づいて測定を実行し、ログレコードも生成する。また、別の可能な方法では、第２のタイマーが時間切れになる前に端末が非アクティブ状態から接続状態又はアイドル状態に入った場合に、第２のタイマーが動作し続け、接続状態又はアイドル状態の端末は、ＭＤＴログ測定を実行せず、第２のタイマーの動作中にログレコードを生成しない。あるいはまた、さらに別の可能な方法では、第２のタイマーが時間切れになる前に端末が非アクティブ状態から接続状態又はアイドル状態に入った場合に、第２のタイマーは停止する。また、端末がアイドル状態にある場合に、アイドル状態の端末は、アイドル状態の端末に適用可能なログ測定の構成情報に基づいて測定を実行し、ログレコードを生成することができる。
【００８１】
いくつかの実施形態では、ＭＤＴログ測定の構成情報は、非アクティブ状態でＭＤＴログ測定を実行するように端末に示すために使用される情報、又は非アクティブ状態とアイドル状態との両方でＭＤＴログ測定を実行するように端末に示すために使用される情報を含み得る。ＭＤＴログ測定の構成情報が、非アクティブ状態でＭＤＴログ測定を実行するように端末に示すために使用される情報をさらに含む場合に、ＭＤＴログ測定の構成情報は、非アクティブ状態の端末によるＭＤＴログ測定の実行に適用可能であるが、アイドル状態の端末によるＭＤＴログ測定の実行に適用不可であることを示し、アイドル状態の端末は、他のＭＤＴログ測定の構成情報に基づいてＭＤＴログ測定を実行する場合がある。ＭＤＴログ測定の構成情報が、非アクティブ状態とアイドル状態との両方でＭＤＴログ測定を実行するように端末に示すために使用される情報をさらに含む場合に、ＭＤＴログ測定の構成情報は、非アクティブ状態及びアイドル状態の端末によるＭＤＴログ測定の実行に適用可能であることを示す。従って、非アクティブ状態の端末は、ＭＤＴログ測定の構成情報に基づいてＭＤＴログ測定を実行することができ、アイドル状態の端末はまた、ＭＤＴログ測定の構成情報に基づいてＭＤＴログ測定を実行することができる。
【００８２】
ＭＤＴログ測定の構成情報は、第１の情報、第３の情報、第４の情報、測定閾値、及び非アクティブ状態でＭＤＴログ測定を実行するように端末に示すために使用される情報のいずれか１つ又は組合せを含み得る、又は
ＭＤＴログ測定の構成情報は、第１の情報、第３の情報、第４の情報、測定閾値、及び非アクティブ状態とアイドル状態との両方でＭＤＴログ測定を実行するように端末に示すために使用される情報のいずれか１つ又は組合せを含み得る、又は
ＭＤＴログ測定の構成情報は、第１の情報と第２の情報、第３の情報、第４の情報、測定閾値、及び非アクティブ状態でＭＤＴログ測定を実行するように端末に示すために使用される情報のいずれか１つ又は組合せを含み得る、又は
ＭＤＴログ測定の構成情報は、第１の情報と第２の情報、第３の情報、第４の情報、測定閾値、及び非アクティブ状態とアイドル状態との両方でＭＤＴログ測定を実行するように端末に示すために使用される情報のいずれか１つ又は組合せを含み得る、ことに留意されたい。
【００８３】
第１の情報及び第２の情報は、第１の情報と第２の情報との組合せを指し、第１の情報及び第２の情報を含むことに留意されたい。オプションとして、前述した信号測定値は、セルレベルの信号測定値とビームレベルの信号測定値とに分類することができる。信号測定値は、セル信号測定値及びダウンリンクビームの信号測定値のいずれか１つ又は組合せを含む。従って、サービングセルの信号測定値は、サービングセルのセル信号測定値及びサービングセルのダウンリンクビームの信号測定値のいずれか１つ又は組合せを含み、隣接セルの信号測定値は、隣接セルのセル信号測定値、及び隣接セルのダウンリンクビームの信号測定値を含み得る。
【００８４】
いくつかの実施形態では、信号測定値がセル信号測定値である場合に、ログレコードは、サービングセルのセル信号測定値、及び少なくとも１つの隣接するセルのセル信号測定値のいずれか１つ又は組合せを含み得る。
【００８５】
いくつかの実施形態では、信号測定値がダウンリンクビームの信号測定値である場合に、一実施態様では、ログレコードは、サービングセルの全てのダウンリンクビームの信号測定値、及び少なくとも１つの隣接セルの全てのダウンリンクビームの測定値信号のいずれか１つ又は組合せを含み得る。具体的には、ログレコードは、
サービングセルの全てのダウンリンクビームの信号測定値、又は
少なくとも１つの隣接セルの全てのダウンリンクビームの信号測定値、又は
サービングセルの全てのダウンリンクビームの信号測定値、及び少なくとも１つの隣接セルの全てのダウンリンクビームの信号測定値を含み得る。
【００８６】
別の実施態様では、ログレコードは、サービングセルの最高品質を含む最大Ｎ個のダウンリンクビームの信号測定値、及び少なくとも１つの隣接セルの最高品質を含む最大Ｍ個のダウンリンクビームの信号測定値のいずれか１つ又は組合せを含み得、ここで、Ｎ及びＭは、０より大きい整数である。オプションとして、Ｎは、Ｍに等しくても、等しくなくてもよい。具体的には、ログレコードは、
サービングセルの最高品質を含む最大Ｎ個のダウンリンクビームの信号測定値、又は
少なくとも１つの隣接セルの最高品質を含む最大Ｍ個のダウンリンクビームの信号測定値、又は
サービングセルの最高品質を含む最大Ｎ個のダウンリンクビームの信号測定値、及び少なくとも１つの隣接セルの最高品質を含む最大Ｍ個のダウンリンクビームの信号測定値を含み得る。
【００８７】
オプションとして、Ｎ及びＭは、端末のためにネットワーク装置によって構成され得、例えば、ＭＤＴログ測定の構成情報に含まれる。
【００８８】
従って、ログレコードは、ダウンリンクビームの信号測定値を含み得、ビームを含むモバイルネットワークでの品質評価により適している。
【００８９】
オプションとして、ＭＤＴログ測定の構成情報は、ログレコードが、セル信号測定値、及びダウンリンクビームの信号測定値のいずれか１つ又は組合せを含むことを示す情報をさらに含み得る。ＭＤＴログ測定の構成情報が、ログレコードにセル信号測定値が含まれることを示す情報を含む場合に、端末によって生成されるログレコードは、サービングセルのセル信号測定値、及び少なくとも１つの隣接セルのセル信号測定値のいずれか１つ又は組合せを含む。ＭＤＴログ測定の構成情報が、ログレコードにダウンリンクビームの信号測定値が含まれることを示す情報を含む場合に、端末が生成したログレコードは、サービングセルのダウンリンクビームの信号測定値、及び少なくとも１つの隣接するセルのダウンリンクビームの信号測定値のいずれか１つ又は組合せを含む。ＭＤＴログ測定の構成情報が、ログレコードにセル信号測定値及びダウンリンクビームの信号測定値が含まれることを示す情報を含む場合に、端末が生成したログレコードは、
サービングセルのセル信号測定値、及びサービングセルのダウンリンクビームの信号測定値、又は
少なくとも１つの隣接セルのセル信号測定値、及び少なくとも１つの隣接セルのダウンリンクビームの信号測定値、又は
サービングセルのセル信号測定値、サービングセルのダウンリンクビームの信号測定値、少なくとも１つの隣接セルのセル信号測定値、及び少なくとも１つの隣接セルのダウンリンクビームの信号測定値を含む。
【００９０】
オプションとして、ＭＤＴログ測定の構成情報が、ログレコードにセル信号測定値及びダウンリンクビームの信号測定値のいずれか１つ又は組合せが含まれることを示す情報を含まない場合に、端末が生成したログレコードは、デフォルトでは、サービングセルのダウンリンクビームの信号測定値、及び少なくとも１つの隣接セルのダウンリンクビームの信号測定値のいずれか１つ又は組合せを含み、ログレコードは、サービングセルのセル信号測定値、及び少なくとも１つの隣接セルのセル信号測定値を含まない。これに対応して、ネットワーク装置は、端末からログレコードを受信する。ログレコードは、サービングセルのダウンリンクビームの信号測定値、及び少なくとも１つの隣接セルのダウンリンクビームの信号測定値のいずれか１つ又は組合せを含む。ネットワーク装置は、ダウンリンクビームの信号測定値に基づいて、対応するセルのセル信号測定値を取得することができる。従って、シグナリングのオーバーヘッドを削減することができる。
【００９１】
いくつかの実施形態では、非アクティブ状態の端末が生成したログレコードは、第５の情報をさらに含み、第５の情報は、ログレコードが生成されたときに端末が非アクティブ状態にあることを示す。実施形態では、端末が非アクティブ状態にあるときにログレコードが生成される場合に、端末がアイドル状態にあるときに生成されたログレコードと区別するために、実施形態において非アクティブ状態で生成されたログレコードは、ログレコードを生成するときに端末が非アクティブ状態にあることを示す第５の情報を含む。オプションとして、端末が第２のタイマーに基づいてアイドル状態でログレコードを生成する場合に、ログレコードは、ログレコードを生成するときに端末がアイドル状態にあることを示す情報を含み得る。従って、異なるＲＲＣ状態で生成されたログレコードを区別することができ、異なるＲＲＣ状態のログレコードを使用してモバイルネットワークを評価し、モバイルネットワーク評価の精度をさらに向上させる。
【００９２】
いくつかの実施形態では、端末が非アクティブ状態にあり、端末のサービングセルが第１のセルから第２のセルに変更される場合に、端末は、移動記録情報を取得し、移動記録情報をネットワーク装置に送信する。
【００９３】
移動記録情報は、第６の情報、第７の情報、又は第８の情報のいずれか１つ又は組合せを含む。第６の情報は、端末が第１のセルで非アクティブ状態（つまり、元のサービングセルでの端末のＲＲＣ状態）にあることを示す。第７の情報は、端末が第２のセルで非アクティブ状態（つまり、新しいサービングセルでの端末のＲＲＣ状態）にあることを示す。第８の情報は、端末が、セル再選択、セル選択、又はセルハンドオーバー（すなわち、サービングセルを変更するために端末によって実行される動作）を通じて、サービングセルを第１のセルから第２のセルに変更することを示す。
【００９４】
例えば、移動記録情報は、第６の情報を含む、又は
移動記録情報は、第７の情報を含む、又は
移動記録情報は、第８の情報を含む、又は
移動記録情報は、第６の情報、及び第７の情報を含む、又は
移動記録情報は、第６の情報、及び第８の情報を含む、又は
移動記録情報は、第７の情報、及び第８の情報を含む、又は
移動記録情報は、第６情報、第７情報、及び第８情報を含む。
【００９５】
オプションとして、端末は、移動記録情報及びログレコードを同じメッセージを介してネットワーク装置に送信することができ、同じメッセージは、例えば、ＵＥ情報応答である。あるいはまた、端末は、移動記録情報及びログレコードを異なるメッセージを介してネットワーク装置に送信することができる。
【００９６】
オプションとして、移動記録情報は、代替的に、ログレコードの一部として、端末によってネットワーク装置に送信され得る。
【００９７】
オプションとして、端末は、端末に移動記録情報があることを示す情報をネットワーク装置にさらに送信する。ネットワーク装置は、その情報に基づいて、移動記録情報を要求するための情報を端末に送信する。移動記録情報を要求するための情報を受信した後に、端末は、移動記録情報をネットワーク装置に送信する。例えば、移動記録情報を要求するための情報は、前述したＵＥ情報要求メッセージに含まれ得る。
【００９８】
ＲＲＣ接続の再開に失敗したときに端末がログレコードを生成する前述した解決策に基づいて、図４を参照して説明するために例を以下に提供する。図４は、本願の別の実施形態による通信方法のフローチャートである。図４に示されるように、この実施形態の方法は、以下のステップを含み得る。
【００９９】
Ｓ４０１：ネットワーク装置は、非アクティブ状態に入るように端末に示すためのメッセージを端末に送信する。
【０１００】
この実施形態では、ネットワーク装置は、非アクティブ状態に入るように端末に示すことができる。例えば、ネットワーク装置は、ＲＲＣ接続解放メッセージを端末に送信し、ＲＲＣ接続解放メッセージは、非アクティブ状態に入るように端末に示すための情報を含む。
【０１０１】
Ｓ４０２：端末は非アクティブ状態に入る。
【０１０２】
この実施形態では、前述したメッセージ、例えば、ＲＲＣ接続解放メッセージを受信した後に、端末は、ＲＲＣ接続解放メッセージにあり、且つ非アクティブ状態に入るように端末に示すために使用される情報に従って、非アクティブ状態に入る。
【０１０３】
Ｓ４０３：端末は、ＲＲＣ接続の再開要求メッセージをネットワーク装置に送信する。
【０１０４】
この実施形態では、端末が非アクティブ状態から接続状態に入る必要がある場合に、端末は、ＲＲＣ接続の再開要求メッセージをネットワーク装置に送信して、ＲＲＣ接続を再開するように要求する。
【０１０５】
Ｓ４０４：ＲＲＣ接続の再開に失敗したときに、端末はログレコードを生成する。
【０１０６】
この実施形態では、端末は、ネットワーク装置にＲＲＣ接続を再開するように要求する。ＲＲＣ接続の再開に失敗した場合に、端末はログレコードを生成する。ログレコードの説明については、前述した実施形態の関連する説明を参照されたい。詳細については、ここでは再度説明しない。
【０１０７】
Ｓ４０５：端末は、ＲＲＣ接続要求メッセージをネットワーク装置に送信する。
【０１０８】
この実施形態では、ＲＲＣ接続の再開に失敗した後に、端末は、ＲＲＣ接続要求メッセージをネットワーク装置に送信して、ＲＲＣ接続を確立するように要求する。
【０１０９】
Ｓ４０６：ネットワーク装置は、ＲＲＣ接続セットアップメッセージを端末に送信する。
【０１１０】
この実施形態では、端末によって送信されたＲＲＣ接続要求メッセージを受信した後に、ネットワーク装置は、ＲＲＣ接続セットアップメッセージを端末に送信する。
【０１１１】
Ｓ４０７：端末は、ＲＲＣ接続セットアップ完了メッセージをネットワーク装置に送信する。
【０１１２】
この実施形態では、ネットワーク装置によって送信されたＲＲＣ接続セットアップメッセージを受信した後に、端末は、ＲＲＣ接続セットアップ完了メッセージをネットワーク装置に送信する。このようにして、端末は接続状態に入る。
【０１１３】
可能な方法では、ＲＲＣ接続セットアップ完了メッセージは、ＲＲＣ接続再開の失敗に基づいて生成されたログレコードが端末にあることを示す情報を含み得る。
【０１１４】
オプションとして、ＲＲＣ接続再開の失敗に基づいて生成されたログレコードが端末にあることを示す情報は、代替的に、ＲＲＣ接続要求メッセージに含まれ得る。換言すれば、端末は、ＲＲＣ接続要求メッセージ又はＲＲＣ接続セットアップ完了メッセージを用いて、ＲＲＣ接続再開の失敗に基づいて生成されたログレコードが端末にあるという情報を示すことができる。
【０１１５】
オプションとして、ＲＲＣ接続再開の失敗に基づいて生成されたログレコードが端末にあることを示す情報は、代替的に、ＲＲＣ接続の再開失敗の利用可能なログ指標情報と呼ばれ得る。
【０１１６】
Ｓ４０８：ネットワーク装置は、ログ要求メッセージを端末に送信する。
【０１１７】
端末が接続状態に入った後に、ネットワーク装置は、ＲＲＣ接続要求メッセージ又はＲＲＣ接続セットアップ完了メッセージに基づいて、ＲＲＣ接続再開の失敗に基づいて生成されたログレコードが端末にあると判定し、次に、ログ要求メッセージを端末に送信する。また、ログ要求メッセージは、ＲＲＣ接続再開の失敗に基づいて生成されたログレコードを報告するように端末に示す情報を含む。オプションとして、ログ要求メッセージは、例えば、ＵＥ情報要求である。
【０１１８】
Ｓ４０９：端末は、ログ応答メッセージをネットワーク装置に送信する。
【０１１９】
端末は、ネットワーク装置によって送信されたログ要求メッセージを受信する。ログ要求メッセージには、ＲＲＣ接続再開の失敗に基づいて生成されたログレコードを報告するように端末に示す情報が含まれる。次に、端末は、ログ応答メッセージをネットワーク装置に送信する。ログ応答メッセージには、ＲＲＣ接続再開の失敗に基づいて端末が生成したログレコード（つまり、Ｓ４０４で端末が生成したログレコード）が含まれる。オプションとして、ログ応答メッセージは、例えば、ＵＥ情報応答である。ログレコードを受信した後に、ネットワーク装置は対応する処理を実行することができる。
【０１２０】
結論として、非アクティブ状態に入った後に、ＲＲＣ接続の再開に失敗した場合に、端末は、ログレコードを生成し、ＲＲＣ接続再開の失敗に基づいて生成されたログレコードが端末にあることをネットワーク装置に通知する。ネットワーク装置が端末からのＲＲＣ接続の再開に失敗したことに基づいて生成されたログレコードを要求した後に、端末は、ログレコードをネットワーク装置に報告し、それによって、ネットワーク装置は、モバイルネットワーク品質評価に関するより多くのログレコードを取得できるようになる。これにより、５Ｇモバイル通信システムのネットワーク要件が満たされ、モバイルネットワークの品質評価の柔軟性が向上する。
【０１２１】
一実施形態では、アイドル状態の端末が、ＭＤＴログ測定を実行し、ログレコードを生成する場合に、ログレコードは、セル信号測定値及びダウンリンクビームの信号測定値のいずれか１つ又は組合せを含み得る。ログレコードがダウンリンクビームの信号測定値を含む場合に、ログレコードは、サービングセルの全てのダウンリンクビームの信号測定値、及び少なくとも１つの隣接セルの全てのダウンリンクビームの信号測定値のいずれか１つ又は組合せを含み得る、又は、ログレコードは、サービングセルの最高品質を含むＮ個のダウンリンクビームの信号測定値、及び少なくとも１つの隣接セルの最高品質を含むＭ個のダウンリンクビームの信号測定値のいずれか１つ又は組合せを含み得る。ここで、Ｎ及びＭは、０より大きい整数であり、Ｎは、Ｍに等しくても、等しくなくてもよい。この段落で説明する実施形態は、前述した実施形態と組み合わせることができるか、又は前述した実施形態から独立してもよいことに留意されたい。
【０１２２】
前述した実施形態では、端末によって実施されるステップ又は動作は、代替的に、端末で使用され得る部品（例えば、チップ又は回路）によって実施され得、及びネットワーク装置によって実施されるステップ又は動作は、代替的に、アクセスネットワーク装置で使用され得る部品（例えば、チップ又は回路）によって実施され得ることが理解され得る。これは、本願の実施形態に限定されない。
【０１２３】
図５は、本願の実施形態による通信機器の概略構造図である。図５に示されるように、この実施形態の通信機器５００は、前述した方法の実施形態で述べた端末（又は、端末で使用できる部品）又はネットワーク装置（又はネットワーク装置で使用できる部品）であり得る。通信機器は、端末又はネットワーク装置に対応し、且つ前述した方法の実施形態で説明した方法を実施するように構成することができる。詳細については、前述した方法実施形態の説明を参照されたい。
【０１２４】
通信機器５００は、１つ又は複数のプロセッサ５０１を含み得る。プロセッサ５０１は、処理ユニットとも呼ばれ得、特定の制御又は処理機能を実現することができる。プロセッサ５０１は、汎用プロセッサ、専用プロセッサ等であり得る。例えば、プロセッサ５０１は、ベースバンドプロセッサ又は中央処理装置であり得る。ベースバンドプロセッサは、通信プロトコル及び通信データを処理するように構成され得る。中央処理装置は、通信機器を制御し、ソフトウェアプログラムを実行し、ソフトウェアプログラムのデータを処理するように構成され得る。
【０１２５】
オプションの設計では、プロセッサ５０１は、命令５０３又はデータ（例えば、中間データ）を格納することもできる。命令５０３は、プロセッサによって実行され得、それによって、通信機器５００は、端末又はネットワーク装置に対応し、且つ前述した方法の実施形態で説明した方法を実行する。
【０１２６】
別の可能な設計では、通信機器５００は回路を含み得る。回路は、前述した方法の実施形態において、送信、受信、又は通信機能を実現することができる。
【０１２７】
オプションとして、通信機器５００は、１つ又は複数のメモリ５０２を含み得る。メモリは、命令５０４を格納することができる。命令は、プロセッサ上で実行され得、それによって、通信機器５００は、前述した実施形態で説明した方法を実行する。
【０１２８】
オプションとして、メモリはデータを格納することもできる。プロセッサ及びメモリは別々に配置することも、又は一緒に統合することもできる。
【０１２９】
オプションとして、通信機器５００は、トランシーバ５０５及び／又はアンテナ５０６をさらに含み得る。プロセッサ５０１は、処理ユニットと呼ばれ得、通信機器（端末又はネットワーク装置）を制御する。トランシーバ５０５は、トランシーバユニット、トランシーバマシン、トランシーバ回路、トランシーバ等と呼ばれ得、通信機器のトランシーバ機能を実現するように構成される。
【０１３０】
ある設計では、通信機器５００は、前述した実施形態における端末に対応する動作を実施するように構成される。例えば、プロセッサ５０１は、ログレコードを生成することができ、ログレコードは、端末が非アクティブ状態にあるときにＭＤＴログ測定を実行することによって記録され、ログレコードは、端末の位置情報、端末のサービングセルの信号測定値、及び端末の少なくとも１つの隣接セルの信号測定値のいずれか１つ又は組合せを含む。そして、トランシーバ５０５は、端末が接続状態にあるときに、生成したログレコードをネットワーク装置に送信する。
【０１３１】
トランシーバ５０５及びプロセッサ５０１の特定の実施プロセスについては、前述した実施形態の関連する説明を参照されたい。詳細については、ここでは再度説明しない。
【０１３２】
別の設計では、通信機器は、前述した実施形態におけるネットワーク装置に対応する動作を実施するように構成される。例えば、トランシーバ５０５は、端末からログレコードを受信することができ、プロセッサ５０１は、ログレコードを処理する。ログレコードは、端末が非アクティブ状態にあるときにＭＤＴログ測定を実行することによって生成される。ログレコードは、端末の位置情報、端末のサービングセルの信号測定値、及び端末の少なくとも１つの隣接セルの信号測定値のいずれか１つ又は組合せを含む。
【０１３３】
トランシーバ５０５の特定の実施プロセスについては、前述した実施形態の関連する説明を参照されたい。詳細については、ここでは再度説明しない。
【０１３４】
本願で説明するプロセッサ５０１及びトランシーバ５０５は、集積回路（integrated  circuit,  IC）、アナログＩＣ、無線周波数集積回路（radio  frequency  integrated  circuit,  RFIC）、混合信号ＩＣ、特定用途向け集積回路（application  specific  integrated  circuit,  ASIC）、プリント回路基板（printed  circuit  board,  PCB）、電子装置等で実現され得る。プロセッサ及びトランシーバは、様々な１Ｃテクノロジー、例えば、相補型金属酸化膜半導体（complementary  metal  oxide  semiconductor,  CMOS）、Ｎチャネル金属酸化膜半導体（nMetal-oxide-semiconductor,  NMOS）、Ｐチャネル金属酸化膜半導体（positive  channel  metal  oxide  semiconductor,  PMOS）、バイポーラ接合トランジスタ（Bipolar  Junction  Transistor,  BJT）、バイポーラＣＭＯＳ（BiCMOS）、シリコンゲルマニウム（SiGe）、及びガリウムヒ素（GaAs）を用いて製造することもできる。
【０１３５】
前述した実施形態の説明では、通信機器５００は、端末又はネットワーク装置を例として用いて説明しているが、本願で説明している通信機器は、端末又はネットワーク装置に限定されず、通信機器の構造は、図５によって制限してはならない。通信機器５００は、独立した装置であっても、又は比較的大きな装置の一部であってもよい。例えば、装置は、
（１）独立した集積回路ＩＣ、チップ、又はチップシステム又はサブシステム；
（２）１つ又は複数のＩＣを含むセット、ここで、オプションとして、ＩＣセットは、データ及び／又は命令を格納するように構成された記憶部分をさらに含み得る；
（３）ＡＳＩＣ、例えばモデム（MSM）；
（４）別の装置に組み込むことができるモジュール；
（５）受信機、端末、携帯電話（cellular  phone）、無線装置、携帯電話（handheld  phone）、モバイルユニット、ネットワーク装置等；又は
（６）他の装置等であってもよい。
【０１３６】
図６は、本願の実施形態による端末の概略構造図である。端末は、本願の前述した実施形態の端末に適用可能であり得る。説明を容易にするために、図６は、端末の主要部分のみを示している。図６に示されるように、端末６００は、プロセッサ、メモリ、制御回路、アンテナ、及び入力／出力機器を含む。プロセッサは、主に、通信プロトコル及び通信データを処理し、端末全体を制御し、ソフトウェアプログラムを実行し、且つソフトウェアプログラムのデータを処理するように構成される。メモリは、主に、ソフトウェアプログラム及びデータを格納するように構成される。無線周波数回路は、主に、ベースバンド信号と無線周波数信号との間の変換を実行し、無線周波数信号を処理するように構成される。アンテナは、主に、無線周波数信号を電磁波の形態で送受信するように構成される。タッチスクリーン、ディスプレイ、又はキーボード等の入出力機器は、主に、ユーザによって入力されたデータを受け取り、ユーザにデータを出力するように構成される。
【０１３７】
端末の電源が投入された後に、プロセッサは、ストレージユニット内のソフトウェアプログラムを読み出し、ソフトウェアプログラムの命令を解釈及び実行し、ソフトウェアプログラムのデータを処理することができる。データを無線で送信する必要がある場合に、プロセッサは、送信すべきデータに対してベースバンド処理を実行し、次にベースバンド信号を無線周波数回路に出力する。無線周波数回路は、ベースバンド信号に対して無線周波数処理を実行し、次にアンテナを用いて、電磁波の形態の無線周波数信号を送信する。端末にデータが送信されると、無線周波数回路は、アンテナを用いて無線周波数信号を受信し、無線周波数信号をベースバンド信号に変換し、ベースバンド信号をプロセッサに出力する。プロセッサは、ベースバンド信号をデータに変換し、データを処理する。
【０１３８】
当業者は、説明を容易にするために、図６が、１つのメモのみリ及び１つのプロセッサのみを示していることを理解し得る。実際の端末は、複数のプロセッサ及び複数のメモリを含み得る。メモリは、記憶媒体、記憶装置等とも呼ばれ得る。これは、本願の実施形態に限定されない。
【０１３９】
オプションの実施態様では、プロセッサは、ベースバンドプロセッサ及び中央処理装置を含み得る。ベースバンドプロセッサは、主に、通信プロトコル及び通信データを処理するように構成され、中央処理装置は、主に、端末全体を制御し、ソフトウェアプログラムを実行し、且つソフトウェアプログラムのデータを処理するように構成される。図６のプロセッサは、ベースバンドプロセッサ及び中央処理装置の機能を統合する。当業者は、代替的に、ベースバンドプロセッサ及び中央処理装置が独立したプロセッサであり得、バス等の技術を用いて相互接続され得ることを理解し得る。当業者は、端末が、異なるネットワーク規格に適応するために複数のベースバンドプロセッサを含み得、端末が、端末の処理能力を強化するために複数の中央処理装置を含み得ることを理解し得る。端末の全ての部分は、様々なバスを用いて接続できる。ベースバンドプロセッサは、ベースバンド処理回路又はベースバンド処理チップとして表すこともできる。中央処理装置は、中央処理回路又は中央処理チップとして表すこともできる。通信プロトコル及び通信データを処理する機能は、プロセッサに埋め込まれ得るか、又はソフトウェアプログラムの形態で記憶ユニットに記憶され得、それによって、プロセッサは、ソフトウェアプログラムを実行して、ベースバンド処理機能を実現する。
【０１４０】
一例では、トランシーバ機能を有するアンテナ及び制御回路は、端末６００のトランシーバモジュール６０１と見なすことができ、処理機能を有するプロセッサは、端末６００の処理モジュール６０２と見なすことができる。図６に示されるように、端末装置６００は、トランシーバモジュール６０１及び処理モジュール６０２を含む。トランシーバモジュールは、トランシーバ、トランシーバマシン、トランシーバ機器等とも呼ばれ得る。オプションとして、受信機能を実現するように構成され、且つトランシーバモジュール６０１内にあるコンポーネントは、受信モジュールと見なされ得、送信機能を実現するように構成され、且つトランシーバモジュール６０１内にあるコンポーネントは、送信モジュールとして見なされ得る。すなわち、トランシーバモジュール６０１は、受信モジュール及び送信モジュールを含む。受信モジュールは、受信機、受信マシン、受信回路等とも呼ばれ得る。送信モジュールは、送信機、送信マシン、送信機回路等とも呼ばれ得る。
【０１４１】
図７は、本願の別の実施形態による通信機器の概略構造図である。通信機器は、端末であってもよく、端末の一部（例えば、集積回路又はチップ）であってもよく、又は別の通信モジュールであってもよく、図３及び図４に示される方法の実施形態の端末に対応する動作又はステップを実施するように構成される。通信機器７００は、処理モジュール７０１及びトランシーバモジュール７０２を含み得る。
【０１４２】
処理モジュール７０１は、端末が非アクティブ状態にあるときにＭＤＴログ測定を実行し、ログレコードを生成するように構成される。ログレコードは、端末の位置情報、端末のサービングセルの信号測定値、及び端末の少なくとも１つの隣接セルの信号測定値のいずれか１つ又は組合せを含み、非アクティブ状態は、エアインターフェイス接続が中断され、且つコンテキスト情報が保持されるＲＲＣ状態を指す。
【０１４３】
トランシーバモジュール７０２は、端末が接続状態にあるときに、生成したログレコードをネットワーク装置に送信するように構成される。
【０１４４】
オプションとして、処理モジュール７０１は、第１の時間間隔が満了すると、ログレコードを生成する、及び／又はＲＲＣ接続の再開に失敗した場合に、ログレコードを生成するように特に構成される。
【０１４５】
オプションとして、トランシーバモジュール７０２は、ＭＤＴログ測定の構成情報を受信するようにさらに構成される。
【０１４６】
処理モジュール７０１は、ＭＤＴログ測定の構成情報に基づいて、ＭＤＴログ測定を実行するように特に構成される。
【０１４７】
オプションとして、トランシーバモジュール７０２は、ＲＲＣメッセージを介してＭＤＴログ測定の構成情報を受信するように特に構成される。
【０１４８】
オプションとして、ＲＲＣメッセージは、非アクティブ状態に入るように端末に示すために使用されるメッセージである。
【０１４９】
オプションとして、ＭＤＴログ測定の構成情報は、第１の情報を含み、第１の情報は、ＭＤＴログ測定が信号品質測定を含むことを示すために使用される。
【０１５０】
オプションとして、ＭＤＴログ測定の構成情報は、第２の情報をさらに含み、第２の情報は、信号品質測定のセマフォが、ＲＳＲＰ、ＲＳＲＱ、及びＳＩＮＲのいずれか１つ又は組合せを含むことを示す。
【０１５１】
オプションとして、ＭＤＴログ測定の構成情報は、測定閾値を含む。
【０１５２】
処理モジュール７０１は、サービングセルの信号測定値が測定閾値以下であるときにログレコードを生成するように特に構成される。
【０１５３】
オプションとして、ＭＤＴログ測定の構成情報は、第３の情報を含み、第３の情報は、第１の時間間隔を示す。
【０１５４】
オプションとして、ＭＤＴログ測定の構成情報は、第４の情報を含み、第４の情報は、ＭＤＴログ測定の構成情報の期間を示す。
【０１５５】
処理モジュール７０１は、トランシーバモジュール７０２がＭＤＴログ測定の構成情報を受信した後に、タイマーを開始するようにさらに構成され、ここで、タイマーの期間は前記期間である。
【０１５６】
ＭＤＴログ測定を実行するときに、処理モジュール７０１は、タイマーが時間切れになる前に、ログ測定の構成情報に基づいてＭＤＴログ測定を実行するように特に構成される。
【０１５７】
オプションとして、信号測定値は、セル信号測定値及びダウンリンクビームの信号測定値のいずれか１つ又は組合せを含む。
【０１５８】
オプションとして、ログレコードは、第５の情報をさらに含み、第５の情報は、ログレコードが生成されたときに端末が非アクティブ状態にあることを示す。
【０１５９】
オプションとして、処理モジュール７０１は、第１の時間間隔が満了したときに生成したログレコードを第１の変数に格納する、及び／又はＲＲＣ接続の再開に失敗したときに生成したログレコードを第２の変数に格納するようにさらに構成される。
【０１６０】
オプションとして、トランシーバモジュール７０２は、生成したログレコードをネットワーク装置に送信する前に、第１のメッセージをネットワーク装置に送信し、ネットワーク装置から第２のメッセージを受信するようにさらに構成され、ここで、第１のメッセージには、第１の時間間隔に基づいて生成されたログレコードが端末にあることを示すために使用される情報、及び／又はＲＲＣ接続再開の失敗に基づいて生成されたログレコードが端末にあることを示すために使用される情報が含まれ、第２のメッセージには、ログレコードを要求するために使用される情報が含まれる。
【０１６１】
この実施形態の通信機器は、前述した方法の実施形態における端末の技術的解決策を実行するように構成され得る。実施態様の原理及び技術的効果は類似しており、詳細については、ここでは再度説明しない。
【０１６２】
図８は、本願のさらに別の実施形態による通信機器の概略構造図である。通信機器は、ネットワーク装置であってもよく、ネットワーク装置の一部（例えば、集積回路又はチップ）であってもよく、又は別の通信モジュールであってもよく、図３及び図４に示される方法の実施形態におけるネットワーク装置に対応する動作を実施するように構成される。通信機器８００は、トランシーバモジュール８０１及び処理モジュール８０２を含み得る。
【０１６３】
トランシーバモジュール８０１は、端末からログレコードを受信するように構成される。
【０１６４】
処理モジュール８０２は、ログレコードを処理するように構成される。
【０１６５】
ログレコードは、端末が非アクティブ状態にあるときにＭＤＴログ測定を実行することによって生成され、非アクティブ状態は、エアインターフェイス接続が中断され、且つコンテキスト情報が保持されるＲＲＣ状態を指す。ログレコードは、端末の位置情報、端末のサービングセルの信号測定値、及び端末の少なくとも１つの隣接セルの信号測定値のいずれか１つ又は組合せを含む。
【０１６６】
オプションとして、ログレコードは、第１の時間間隔が満了したときに端末によって生成され、及び／又はＲＲＣ接続の再開に失敗したときに生成される。
【０１６７】
オプションとして、トランシーバモジュール８０１は、ＭＤＴログ測定の構成情報を端末に送信するように構成され、ＭＤＴログ測定の構成情報は、端末がＭＤＴログ測定を実行するために使用される。
【０１６８】
オプションとして、トランシーバモジュール８０１は、ＲＲＣメッセージを介してＭＤＴログ測定の構成情報を端末に送信するように特に構成される。
【０１６９】
オプションとして、ＲＲＣメッセージは、非アクティブ状態に入るように端末に示すために使用されるメッセージである。
【０１７０】
オプションとして、ＭＤＴログ測定の構成情報は、第１の情報を含み、第１の情報は、ＭＤＴログ測定が信号品質測定を含むことを示す。
【０１７１】
オプションとして、ＭＤＴログ測定の構成情報は、第２の情報をさらに含み、第２の情報は、信号品質測定のセマフォが、ＲＳＲＰ、ＲＳＲＱ、及びＳＩＮＲのいずれか１つ又は組合せを含むことを示す。
【０１７２】
オプションとして、ＭＤＴログ測定の構成情報は、測定閾値をさらに含み、測定閾値は、サービングセルの信号測定値が測定閾値以下である場合に、端末がログレコードを生成するために使用される。
【０１７３】
オプションとして、ＭＤＴログ測定の構成情報は、第３の情報をさらに含み、第３の情報は、第１の時間間隔を示す。
【０１７４】
オプションとして、ＭＤＴログ測定の構成情報は、第４の情報をさらに含み、第４の情報は、ＭＤＴログ測定の構成情報の期間を示す。
【０１７５】
オプションとして、信号測定値は、セル信号測定値及びダウンリンクビームの信号測定値のいずれか１つ又は組合せを含む。
【０１７６】
オプションとして、ログレコードは、第５の情報をさらに含み、第５の情報は、ログレコードが生成されたときに端末が非アクティブ状態にあることを示す。
【０１７７】
オプションとして、トランシーバモジュール８０１は、端末からログレコードを受信する前に、端末から第１のメッセージを受信し、第２のメッセージを端末に送信するようにさらに構成され、ここで、第１のメッセージには、第１の時間間隔に基づいて生成されたログレコードが端末にあることを示すために使用される情報、又はＲＲＣ接続再開の失敗に基づいて生成されたログレコードが端末にあることを示すために使用される情報が含まれ、第２のメッセージには、ログレコードを要求するために使用される情報が含まれる。
【０１７８】
この実施形態の通信機器は、前述した方法の実施形態におけるネットワーク装置の技術的解決策を実行するように構成され得る。実施態様の原理及び技術的効果は類似しており、詳細については、ここでは再度説明しない。
【０１７９】
本願の実施形態におけるモジュール分割は、一例であり、単なる論理機能分割であることに留意されたい。実際の実施態様では、別の分割方法が使用される場合がある。本願の実施形態における機能モジュールは、１つの処理モジュールに統合され得るか、又はモジュールのそれぞれが物理的に単独で存在し得るか、又は２つ以上のモジュールが１つのモジュールに統合され得る。統合モジュールは、ハードウェアの形態で実現することも、又はソフトウェア機能モジュールの形態で実現することもできる。
【０１８０】
統合モジュールがソフトウェア機能モジュールの形態で実現され、独立した製品として販売又は使用される場合に、統合モジュールは、コンピュータ可読記憶媒体に記憶され得る。そのような理解に基づいて、本願の技術的解決策は、本質的に、又は先行技術に寄与する部分、又は技術的解決策の全部又は一部は、ソフトウェア製品の形態で実現され得る。ソフトウェア製品は、記憶媒体に記憶され、コンピュータ装置（パーソナルコンピュータ、サーバー、ネットワーク装置等であり得る）又はプロセッサ（processor）に本願の実施形態でした方法のステップの全て又は一部を実行するように指示すためのいくつかの命令を含む。前述した記憶媒体には、ＵＳＢフラッシュドライブ、リムーバブルハードディスク、読み取り専用メモリ（Read-Only  Memory,  ROM）、ランダムアクセスメモリ（Random  Access  Memory,  RAM）、磁気ディスク、又は光学ディスク等の、プログラムコードを格納できる任意の媒体が含まれる。
【０１８１】
前述した実施形態の全て又はいくつかは、ソフトウェア、ハードウェア、ファームウェア、又はそれらの任意の組合せを用いて実施することができる。ソフトウェアを用いて実施される場合に、実施形態の全て又は一部は、コンピュータプログラム製品の形態で実現され得る。コンピュータプログラム製品は、１つ又は複数のコンピュータ命令を含む。コンピュータプログラム命令がコンピュータにロードされて実行されるときに、本願の実施形態による手順又は機能は、全て又は部分的に生成される。コンピュータは、汎用コンピュータ、専用コンピュータ、コンピュータネットワーク、又は別のプログラム可能な機器であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、ウェブサイト、コンピュータ、サーバー、又はデータセンターから別のウェブサイト、コンピュータ、サーバー、又はデータセンターに有線（例えば、同軸ケーブル、光ファイバー、又はデジタル加入者回線（DSL））又は無線（例えば、赤外線、無線、又はマイクロ波）方式で送信され得る。コンピュータ可読記憶媒体は、コンピュータによってアクセス可能な任意の使用可能な媒体、或いは１つ又は複数の使用可能な媒体を統合するサーバー又はデータセンター等のデータ記憶装置であり得る。使用可能な媒体は、磁気媒体（例えば、フロッピーディスク、ハードディスク、又は磁気テープ）、光学媒体（例えば、DVD）、半導体媒体（例えば、ソリッドステートドライブ（Solid  State  Disk  （SSD））等であり得る。
【図１】
2021529484.tif 000003
【図２】
2021529484.tif 000004
【図３】
2021529484.tif 000005
【図４】
2021529484.tif 000006
【図５】
2021529484.tif 000007
【図６】
2021529484.tif 000008
【図７】
2021529484.tif 000009
【図８】
2021529484.tif 000010
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
通信方法であって、当該方法は、
ログレコードを生成するステップであって、該ログレコードは、端末が非アクティブ状態にあるときに、ドライブテストの最小化（ＭＤＴ）ログ測定を実行することによって記録された情報を含み、前記ログレコードは、前記端末の位置情報、前記端末のサービングセルの信号測定値、及び前記端末の少なくとも１つの隣接セルの信号測定値のいずれか１つ又は組合せを含み、前記非アクティブ状態は、エアインターフェイス接続が中断され、且つコンテキスト情報が保持される無線リソース制御（ＲＲＣ）状態を指す、生成するステップと、
前記端末が接続状態にあるときに、前記生成したログレコードをネットワーク装置に送信するステップと、を含む、
方法。
【請求項２】
前記ログレコードを生成するステップは、
第１の時間間隔が満了すると、前記ログレコードを生成するステップ、及び／又は
ＲＲＣ接続の再開に失敗すると、前記ログレコードを生成するステップを含む、請求項１に記載の方法。
【請求項３】
当該方法は、ＭＤＴログ測定の構成情報を受信するステップをさらに含み、
前記ＭＤＴログ測定を実行するステップは、前記ＭＤＴログ測定の構成情報に基づいて、前記ＭＤＴログ測定を実行するステップを含む、請求項２に記載の方法。
【請求項４】
前記ＭＤＴログ測定の構成情報を受信するステップは、ＲＲＣメッセージを介して前記ＭＤＴログ測定の構成情報を受信するステップを含む、請求項３に記載の方法。
【請求項５】
前記ＭＤＴログ測定の構成情報は、測定閾値を含み、
前記ログレコードを生成するステップは、前記サービングセルの前記信号測定値が前記測定閾値以下であるときに前記ログレコードを生成するステップを含む、請求項３又は４に記載の方法。
【請求項６】
前記ＭＤＴログ測定の構成情報は、前記第１の時間間隔を示す情報を含む、請求項３乃至５のいずれか一項に記載の方法。
【請求項７】
前記ＭＤＴログ測定の構成情報は、前記ＭＤＴログ測定の構成情報の期間を示す情報を含み、
前記ＭＤＴログ測定の構成情報を受信した後に、当該方法は、
タイマーを開始するステップであって、該タイマーの期間が前記期間である、開始するステップをさらに含み、
前記ＭＤＴログ測定を実行するステップは、前記タイマーが時間切れになる前に前記ログ測定の構成情報に基づいて前記ＭＤＴログ測定を実行するステップを含む、請求項３乃至６のいずれか一項に記載の方法。
【請求項８】
前記タイマーが切れる前に前記端末がアイドル状態に入った場合に、該アイドル状態の前記端末に適用可能なログ測定構成情報に基づいて測定を実行するステップ、又は
前記タイマーが時間切れになる前に前記端末が前記接続状態に入った場合に、測定の実行を停止するステップをさらに含む、請求項７に記載の方法。
【請求項９】
前記信号測定値は、セル信号測定値及びダウンリンクビームの信号測定値のいずれか１つ又は組合せを含む、請求項１乃至８のいずれか一項に記載の方法。
【請求項１０】
前記ログレコードは、前記ログレコードが生成されたときに前記端末が非アクティブ状態にあることを示す情報を含む、請求項１乃至９のいずれか一項に記載の方法。
【請求項１１】
当該方法は、
前記第１の時間間隔が満了したときに生成した前記ログレコードを第１の変数に格納するステップ、及び／又は
前記ＲＲＣ接続の再開に失敗したときに生成した前記ログレコードを第２の変数に格納するステップをさらに含む、請求項２に記載の方法。
【請求項１２】
前記生成したログレコードをネットワーク装置に送信する前に、当該方法は、
第１のメッセージを前記ネットワーク装置に送信するステップであって、前記第１のメッセージには、前記第１の時間間隔に基づいて生成された前記ログレコードが前記端末にあることを示すために使用される情報、及び／又は前記ＲＲＣ接続再開の失敗に基づいて生成された前記ログレコードが前記端末にあることを示すために使用される情報が含まれる、送信するステップと、
前記ネットワーク装置から第２のメッセージを受信するステップであって、該第２のメッセージには、前記ログレコードを要求するために使用される情報が含まれる、受信するステップと、をさらに含む、請求項２又は１１に記載の方法。
【請求項１３】
通信方法であって、当該方法は、
端末からログレコードを受信するステップと、
該ログレコードを処理するステップと、を含み、
前記ログレコードは、前記端末が非アクティブ状態にあるときにドライブテストの最小化（ＭＤＴ）ログ測定を実行することによって生成された情報を含み、前記非アクティブ状態は、エアインターフェイス接続が中断され、且つコンテキスト情報が保持される無線リソース制御（ＲＲＣ）状態を指し、
前記ログレコードは、前記端末の位置情報、前記端末のサービングセルの信号測定値、及び前記端末の少なくとも１つの隣接セルの信号測定値のいずれか１つ又は組合せを含む、
方法。
【請求項１４】
前記信号測定値は、セル信号測定値及びダウンリンクビームの信号測定値のいずれか１つ又は組合せを含む、請求項１３に記載の方法。
【請求項１５】
請求項１乃至１２のいずれか一項又は請求項１３又は１４に記載の前記通信方法を実施するように構成された通信機器。
【手続補正２】
【補正対象書類名】明細書
【補正対象項目名】全文
【補正方法】変更
【補正の内容】
【発明の詳細な説明】
【技術分野】
【０００１】
本願の実施形態は、通信技術の分野、特に、通信方法及び通信機器に関する。
【背景技術】
【０００２】
モバイルネットワーク事業者は、基地局のカバレッジエリア内のモバイルネットワークの品質を評価する必要がある。評価には、カバレッジ品質及びカバレッジホール等の特定が含まれる。初期の段階では、評価のために手作業のドライブテストが実行されていた。ドライブテストには、主に、最初にテストエリアが決定され、次にテストルートが設計されることが含まれる。次に、テストルートに従って車両を手作業で運転し、測定データを収集する。測定データには、例えば、位置情報、物理層情報、メディアアクセス制御層情報、信号情報、及びシステム情報が含まれ得る。最後に、収集した測定データが処理される。処理プロセスには、例えば、データ解析、及び問題の特定及び解析が含まれ得る。データ解析は、主に、収集したデータに基づいて、コール・ドロップ（call  drop）率、コール完了率、トラフィック等を解析するために実行される。問題の特定及び解析は、収集したデータに基づいて、主に、端末又はネットワークで障害が発生したかどうかを解析するために実行される。
【０００３】
前述した手作業のドライブテストでは、試験担当者は、車両を自分で運転する必要がある。これには時間及び労力がかかる。従って、前述した問題を解決するために、現在、ドライブテストの最小化（Minimization  of  Drive  Test,  MDT）が提案されている。ＭＤＴとは、いくつかの特定の端末がＭＤＴログ（log）測定を実行し、次にログレコードをネットワーク装置に報告し、次に、ネットワーク装置は、端末によって報告されたログレコードに基づいてモバイルネットワークの品質評価を実行することを意味し、報告されるコンテンツには、無線アクセスネットワーク（Radio  Access  Network,  RAN）に関連するデータ、サービス品質（Quality  of  Service,  QoS）に関連するデータが含まれる。端末によって報告されたログレコードには、次の２つの場合に端末によって取得され得る。あるケースでは、端末がアイドル（idle）状態にあるときに、端末は、ネットワーク装置から受信した測定構成に基づいてＭＤＴログ測定を実行し、報告されるログレコードを取得する。他のケースでは、端末が接続状態にあるときに、無線リンク障害（Radio  Link  Failure,  RLF）が発生すると、ＭＤＴログ測定が実行され、報告されるログレコードが取得される。しかしながら、モバイル通信システムの進化により、既存のログレコード報告はネットワーク要件を満たすことができない。
【発明の概要】
【０００４】
本願の実施形態は、通信方法及び通信機器を提供し、それによって、ネットワーク装置がモバイルネットワーク品質評価に関するより多くのログレコードを取得できるようにする。従って、モバイル通信システム（例えば、５Ｇシステム）のネットワーク要件が満たされ、モバイルネットワーク品質評価の柔軟性が向上する。
【０００５】
第１の態様によれば、本願の実施形態は、通信方法を提供し、この方法は、ログレコードを生成するステップであって、ログレコードは、端末が非アクティブ状態にあるときに、ＭＤＴログ測定を実行することによって記録され、ログレコードは、端末の位置情報、端末のサービングセルの信号測定値、及び端末の少なくとも１つの隣接セルの信号測定値のいずれか１つ又は組合せを含み、非アクティブ状態は、エアインターフェイス接続が中断され、且つコンテキスト情報が保持される無線リソース制御（Radio  Resource  Control,  RRC）状態を指す、生成するステップと、
次に、端末が接続状態にあるときに、生成したログレコードをネットワーク装置に送信するステップと、を含む。
従って、ネットワーク装置は、モバイルネットワーク品質評価に関するより多くのログレコードを取得することができ、それによって、モバイル通信システム（例えば、５Ｇシステム）のネットワーク要件が満たされ、モバイルネットワーク品質評価の柔軟性が向上する。
【０００６】
オプションとして、ログレコードを生成するステップは、
第１の時間間隔が満了すると、ログレコードを生成するステップ、及び／又は
ＲＲＣ接続の再開に失敗すると、ログレコードを生成するステップを含む。
従って、この実施形態のログレコードは、定期的に生成されるログレコードに限定されるものではなく、複数のタイプのログレコードを含む。ネットワーク装置は、異なるタイプのログレコードに基づいてモバイルネットワーク評価を実行することができ、それによって、モバイル通信システムの複数のネットワーク要件がさらに満たされ、モバイルネットワーク品質評価の柔軟性がさらに向上する。
【０００７】
オプションとして、この方法は、ＭＤＴログ測定の構成情報を受信するステップをさらに含み、
ＭＤＴログ測定を実行するステップは、ＭＤＴログ測定の構成情報に基づいて、ＭＤＴログ測定を実行するステップを含む。
【０００８】
オプションとして、ＭＤＴログ測定の構成情報を受信するステップは、ＲＲＣメッセージを介してＭＤＴログ測定の構成情報を受信するステップを含み、
ＭＤＴログ測定の構成情報を受信した後に、この方法は、
タイマーを開始するステップであって、タイマーの期間は前記期間である、開始するステップをさらに含み、
ＭＤＴログ測定を実行するステップは、タイマーが時間切れになる前にログ測定の構成情報に基づいてＭＤＴログ測定を実行するステップを含む。
このようにして、端末は、ＭＤＴログ測定の構成情報に基づいてＭＤＴログ測定を常に実行することが防止され、それによって、端末は、ＭＤＴログ測定をより柔軟に実行することができる。
【０００９】
オプションとして、ＭＤＴログ測定の構成情報は、測定閾値を含み、
ログレコードを生成するステップは、サービングセルの信号測定値が測定閾値以下であるときにログレコードを生成するステップを含む。
従って、サービングセルの信号測定値であり、測定閾値よりも大きい信号測定値をネットワーク装置に報告する必要がないため、生成されるログレコードの量が削減される。
【００１０】
オプションとして、この方法は、
第１の時間間隔が満了したときに生成したログレコードを第１の変数に格納するステップ、及び／又は
ＲＲＣ接続の再開に失敗したときに生成したログレコードを第２の変数に格納するステップをさらに含む。
２つのタイプのログレコードが異なる変数に格納されるため、各タイプのログレコードを容易且つ迅速に見つけることができ、それによりログレコードの送信効率が向上する。
【００１１】
オプションとして、生成したログレコードをネットワーク装置に送信する前に、この方法は、
第１のメッセージをネットワーク装置に送信するステップであって、第１のメッセージには、第１の時間間隔に基づいて生成されたログレコードが端末にあることを示すために使用される情報、及び／又はＲＲＣ接続再開の失敗に基づいて生成されたログレコードが端末にあることを示すために使用される情報が含まれる、送信するステップと、
次に、ネットワーク装置から第２のメッセージを受信するステップであって、第２のメッセージには、ログレコードを要求するために使用される情報が含まれる、受信するステップと、をさらに含む。
従って、端末は、ネットワーク装置がログレコードを要求する必要がある場合にのみ、ログレコードをネットワーク装置に送信し、送信リソースの浪費を回避する。
【００１２】
第２の態様によれば、本願の実施形態は、通信方法を提供し、この方法は、
端末からログレコードを受信するステップと、
次に、ログレコードを処理するステップと、を含み、
ログレコードは、端末が非アクティブ状態にあるときにＭＤＴログ測定を実行することによって生成され、非アクティブ状態は、エアインターフェイス接続が中断され、且つコンテキスト情報が保持されるＲＲＣ状態を指し、
ログレコードは、端末の位置情報、端末のサービングセルの信号測定値、及び端末の少なくとも１つの隣接セルの信号測定値のいずれか１つ又は組合せを含む。
従って、ネットワーク装置は、モバイルネットワーク品質評価に関するより多くのログレコードを取得することができ、それによって、モバイル通信システム（例えば、５Ｇシステム）のネットワーク要件が満たされ、モバイルネットワーク品質評価の柔軟性が向上する。
【００１３】
オプションとして、ログレコードは、第１の時間間隔が満了したときに端末によって生成され、及び／又はＲＲＣ接続の再開に失敗したときに生成される。
従って、この実施形態のログレコードは、定期的に生成されるログレコードに限定されるものではなく、複数のタイプのログレコードを含む。ネットワーク装置は、異なるタイプのログレコードに基づいてモバイルネットワーク評価を実行することができ、それによって、モバイル通信システムの複数のネットワーク要件がさらに満たされ、モバイルネットワーク品質評価の柔軟性がさらに向上する。
【００１４】
オプションとして、この方法は、ＭＤＴログ測定の構成情報を端末に送信するステップをさらに含み、
ＭＤＴログ測定の構成情報は、端末がＭＤＴログ測定を実行するために使用される。
【００１５】
オプションとして、ＭＤＴログ測定の構成情報を端末に送信するステップは、ＭＤＴログ測定の構成情報をＲＲＣメッセージを介して端末に送信するステップを含む。
【００１６】
オプションとして、ＭＤＴログ測定の構成情報は、測定閾値をさらに含み、測定閾値は、サービングセルの信号測定値が測定閾値以下であるときに、端末がログレコードを生成するために使用される。
従って、端末が生成するログレコードの量を削減することができ、ネットワーク装置が受信するログレコードの量も削減することができる。
【００１７】
オプションとして、端末からログレコードを受信する前に、この方法は、端末から第１のメッセージを受信するステップであって、第１のメッセージには、第１の時間間隔に基づいて生成されたログレコードが端末にあることを示すために使用される情報、又はＲＲＣ接続再開の失敗に基づいて生成されたログレコードが端末にあることを示すために使用される情報が含まれる、受信するステップと、
次に、第２のメッセージを端末に送信するステップであって、第２のメッセージには、ログレコードを要求するために使用される情報が含まれる、送信するステップと、をさらに含む。
従って、ネットワーク装置は、ネットワーク装置がログレコードを必要とするときに端末からログレコードを要求し、次に端末からログレコードを受信して、送信リソースの浪費を回避する。
【００１８】
第１の態様又は第２の態様に関して、以下をさらに含むことができる。
【００１９】
オプションとして、ＲＲＣメッセージは、非アクティブ状態に入るように端末に示すために使用されるメッセージである。
従って、ＲＲＣメッセージを使用してＭＤＴログ測定の構成情報を伝達でき、新しいメッセージを追加する必要はない。
【００２０】
オプションとして、ＭＤＴログ測定の構成情報は、第１の情報を含み、第１の情報は、ＭＤＴログ測定が信号品質測定を含むことを示すために使用される。
【００２１】
オプションとして、ＭＤＴログ測定の構成情報は、第２の情報をさらに含み、第２の情報は、信号品質測定におけるセマフォが、参照信号受信電力（RSRP）、参照信号受信品質（Reference  Signal  Received  Quality,  RSRQ）、及び信号対干渉プラス雑音比（Signal  to  Interference  plus  Noise  Ratio,  SINR）のいずれか１つ又は組合せを含むことを示す。
【００２２】
オプションとして、ＭＤＴログ測定の構成情報は、第３の情報を含み、第３の情報は、第１の時間間隔を示す。
【００２３】
オプションとして、ＭＤＴログ測定の構成情報は、第４の情報を含み、第４の情報は、ＭＤＴログ測定の構成情報の期間を示す。
このようにして、端末は、ＭＤＴログ測定の構成情報に基づいて、ＭＤＴログ測定を常に実行することが防止され、それによって、端末は、ＭＤＴログ測定をより柔軟に実行することができる。
【００２４】
オプションとして、信号測定値は、セル信号測定値及びダウンリンクビームの信号測定値のいずれか１つ又は組合せを含む。
従って、ログレコードは、ダウンリンクビームの信号測定値を含むことができ、ビームを含むモバイルネットワークでの品質評価により適している。
【００２５】
オプションとして、ログレコードは、第５の情報をさらに含み、第５の情報は、ログレコードが生成されたときに端末が非アクティブ状態にあることを示し、それによって、ログレコードは、端末が別のＲＲＣ状態にあるときに生成したログレコードから区別される。
様々なＲＲＣ状態のログレコードを使用してモバイルネットワーク評価を実行するため、モバイルネットワーク評価の精度がさらに向上し得る。
【００２６】
第３の態様によれば、本願の実施形態は、通信機器を提供し、この通信機器は、
第１の態様による通信方法を実施するように構成されたモジュール、部品、又は回路、或いは
第２の態様による通信方法を実施するように構成されたモジュール、部品、又は回路を含む。
【００２７】
第４の態様によれば、本願の実施形態は、プロセッサ及びトランシーバを含む通信機器を提供する。プロセッサ及びトランシーバは、第１の態様又は第２の態様において、本願の実施形態のいずれか１つによる通信方法を実行するように構成される。
【００２８】
第５の態様によれば、本願の実施形態は、メモリ及びプロセッサを含むチップを提供する。メモリは、プログラム命令を格納するように構成され、プロセッサは、メモリ内のプログラム命令を呼び出して、第１の態様又は第２の態様における本願の実施形態のいずれか１つによる通信方法を実行するように構成される。
【００２９】
第６の態様によれば、本願の実施形態は、可読記憶媒体を提供する。可読記憶媒体は、コンピュータプログラムを記憶する。コンピュータプログラムが実行されると、第１の態様又は第２の態様における本願の実施形態のいずれか１つに記載の通信方法が実施される。
【００３０】
第７の態様によれば、本願の実施形態は、プログラム製品を提供する。プログラム製品はコンピュータプログラムを含み、コンピュータプログラムは可読記憶媒体に記憶される。通信機器の少なくとも１つのプロセッサは、可読記憶媒体からコンピュータプログラムを読み出すことができ、少なくとも１つのプロセッサは、コンピュータプログラムを実行するので、通信機器は、第１の態様又は第２の態様における本願の実施形態のいずれか１つによる通信方法を実施する。
【図面の簡単な説明】
【００３１】
【図１】本願の実施形態による通信システムの概略図である。
【図２】本願の実施形態によるネットワーク装置のプロトコルスタックの概略図である。
【図３】本願の実施形態による通信方法のフローチャートである。
【図４】本願の別の実施形態による通信方法のフローチャートである。
【図５】本願の実施形態による通信機器の概略構造図である。
【図６】本願の実施形態による端末の概略構造図である。
【図７】本願の別の実施形態による通信機器の概略構造図である。
【図８】本願のさらに別の実施形態による通信機器の概略構造図である。
【発明を実施するための形態】
【００３２】
図１は、本願の実施形態による通信システムの概略図である。図１に示されるように、通信システムは、ネットワーク装置及び端末を含む。
【００３３】
当業者がよりよく理解するのに役立つように、本願のいくつかの用語を以下に説明する。
【００３４】
ネットワーク装置は、無線アクセスネットワーク（Radio  Access  Network,  RAN）装置とも呼ばれ、端末がワイヤレスネットワークにアクセスするのを可能にする装置であり、ロングタームエボリューション（Long  Term  Evolution、LTE）における進化型ノードＢ（eNB,  又はeNodeB）、中継局又はアクセスポイント、又は５Ｇネットワークの基地局（例えば、送受信ポイント（TRP）又はコントローラであり得る。これは本明細書では限定されない。可能な実施態様では、アクセスネットワーク装置は、ＣＵ−ＤＵ分離アーキテクチャを含む基地局（例えば、ｇＮＢ）であり得る。図２に示されるように、図２は、本願の実施形態によるネットワーク装置のプロトコルスタックの概略図である。ＲＡＮ装置は、コアネットワーク装置（例えば、ＬＴＥコアネットワーク又は５Ｇコアネットワーク）に接続され得る。ＣＵ及びＤＵは、論理機能の観点からの基地局の分割として理解され得る。ＣＵ及びＤＵは、物理的に分離される場合と、物理的に一緒に展開される場合とがある。複数のＤＵが１つのＣＵを共有することができる。あるいはまた、１つのＤＵを複数のＣＵに接続することができる（図には示されていない）。ＣＵ及びＤＵは、インターフェイス、例えば、Ｆ１インターフェイスを用いて接続され得る。ＣＵ及びＤＵは、ワイヤレスネットワークのプロトコル層に基づいて分割できる。例えば、無線リソース制御（Radio  Resource  Control,  RRC）層、サービスデータ適応プロトコル（Service  Data  Adaptation  Protocol,  SDAP）層、及びパケットデータコンバージェンスプロトコル（packet  data  convergence  protocol,  PDCP）層の機能がＣＵに分配（distribute）され、無線リンク制御（radio  link  control,  RLC）層、メディアアクセス制御（Media  Access  Control,  MAC）層、物理（physical,  PHY）層等の機能がＤＵに分配される。プロトコル層に基づくＣＵ及びＤＵの処理機能への分割は単なる一例であり、代替的に、ＣＵ及びＤＵの処理機能を別の方法で分割することができることが理解され得る。例えば、ＣＵ又はＤＵを分割して、より多くのプロトコル層の機能を持たせることができる。例えば、ＣＵ又はＤＵは、代替的に、プロトコル層のいくつかの処理機能を有するように分割され得る。ある設計では、ＲＬＣ層のいくつかの機能とＲＬＣ層より上のプロトコル層の機能とがＣＵに分配され、ＲＬＣ層の残りの機能とＲＬＣ層より下のプロトコル層の機能がＤＵに分配される。別の設計では、ＣＵ又はＤＵの機能は、代替的に、サービスタイプ又は別のシステム要件に基づいて分割され得る。例えば、分割は遅延に基づいて実行される。処理時間が遅延要件を満たす必要がある機能はＤＵに分配され、遅延要件を満たす必要がない機能はＣＵに分配される。別の設計では、ＣＵは、代替的に、コアネットワークの１つ又は複数の機能を有し得る。１つ又は複数のＣＵは、集中化した方法又は分離した方法で配置され得る。例えば、ＣＵは、集中管理のためにネットワーク側に配置され得る。ＤＵは、複数の無線周波数機能を有することができ、無線周波数機能は、遠隔設定することができる。
【００３５】
ＣＵの機能は、１つのエンティティによって実現され得るか、又は異なるエンティティによって実現され得る。例えば、ＣＵの機能をさらに分割することができる。例えば、コントロールプレーン（CP）は、ユーザープレーン（UP）、つまりＣＵのコントロールプレーン（CU-CP）及びＣＵのユーザープレーン（CU-UP）から分離される。例えば、ＣＵ−ＣＰ及びＣＵ−ＵＰは、異なる機能エンティティによって実現され得る。ＣＵ−ＣＰ及びＣＵ−ＵＰをＤＵに結合して、基地局の機能を共同で実現することができる。可能な実施態様では、ＣＵ−ＣＰはコントロールプレーン機能を担当し、主にＲＲＣ及びＰＤＣＰ−Ｃを含む。ＰＤＣＰ−Ｃは、主に、コントロールプレーンでのデータの暗号化及び復号化、整合性保護、データ送信等を担当する。ＣＵ−ＵＰはユーザープレーン機能を担当し、主にＳＤＡＰ及びＰＤＣＰ−Ｕを含む。ＳＤＡＰは、主に、コアネットワークのデータを処理し、データフロー（flow）をベアラにマッピングすることを担当する。ＰＤＣＰ−Ｕは、主に、データプレーンでの暗号化及び復号化、整合性保護、ヘッダー圧縮、シリアル番号の保守、データ送信等を担当する。ＣＵ−ＣＰは、Ｅ１インターフェイスを用いてＣＵ−ＵＰに接続される。ＣＵ−ＣＰは、ｇＮＢがＮｇインターフェイスを用いてコアネットワークに接続されることを表す。ＣＵ−ＣＰは、Ｆ１−Ｃ（コントロールプレーン）インターフェイスを用いてＤＵに接続される。ＣＵ−ＵＰは、Ｆ１−Ｕ（ユーザープレーン）インターフェイスを用いてＤＵに接続される。確かに、別の可能な実施態様は、ＰＤＣＰ−ＣもＣＵ−ＵＰにあるということである。
【００３６】
端末は、無線端末又は有線端末であり得る。無線端末は、無線トランシーバ機能を有する装置を指す場合があり、屋内又は屋外の装置、ハンドヘルド装置、又は車載装置を含んで、陸上に展開することができる；又は、水面（例えば、蒸気船）に展開することができる；又は、空中（例えば、飛行機、気球、衛星等）に展開することができる。端末は、携帯電話（mobile  phone）、タブレットコンピュータ（Pad）、無線トランシーバ機能を有するコンピュータ、仮想現実（Virtual  Reality,  VR）端末、拡張現実（Augmented  Reality,  AR）端末、産業用制御（industrial  control）の無線端末、自走式（self  driving）の無線端末、遠隔医療（remote  medical）の無線端末、スマートグリッド（smart  grid）の無線端末、安全輸送（transportation  safety）の無線端末、スマートシティ（smart  city）の無線端末、スマートホーム（smart  home）の無線端末等であり得る。これは本明細書では限定されない。本願の実施形態では、端末は、ユーザ機器（user  equipment,  UE）とも呼ばれ得ることが理解され得る。
【００３７】
５Ｇモバイル通信システムでは、アイドル状態及び接続状態に加えて、端末の無線リソース制御（Radio  Resource  Control,  RRC）状態は、非アクティブ（inactive）状態をさらに含む。非アクティブ状態では、エアインターフェイス接続は中断（suspend）されるが、端末は依然としてコンテキスト情報を格納している。端末が接続（active：アクティブ）状態に入る必要がある場合に、端末は、格納しれたコンテキスト情報に基づいて接続状態に迅速に戻ることができる。これに対応して、端末が非アクティブ状態に入るときに、基地局はまた、端末のコンテキスト情報を格納する。
【００３８】
図３は、本願の実施形態による通信方法のフローチャートである。図３に示されるように、この実施形態における方法は、以下のステップを含み得る。
【００３９】
Ｓ３０１：端末が、ログレコードを生成し、ここで、ログレコードは、端末が非アクティブ状態にあるときに、ＭＤＴログ測定を実行することによって記録される。
【００４０】
この実施形態では、非アクティブ状態にあるときに、端末は、ＭＤＴログ測定を実行し、それによって、ログレコードが生成され得る。ログレコードは、端末の位置情報、端末のサービングセルの信号測定値、及び端末の少なくとも１つの隣接セルの信号測定値のいずれか１つ又は組合せを含む。
【００４１】
可能な方法では、端末は、生成したログレコードを格納することができる。
【００４２】
例えば、ログレコードは、端末の位置情報を含む、又は
ログレコードは、端末のサービングセルの信号測定値を含む、又は
ログレコードは、端末の少なくとも１つの隣接セルの信号測定値を含む、又は
ログレコードは、端末の位置情報、及び端末のサービングセルの信号測定値を含む、又は
ログレコードは、端末の位置情報、及び端末の少なくとも１つの隣接セルの信号測定値を含む、又は
ログレコードは、端末のサービングセルの信号測定値、及び端末の少なくとも１つの隣接セルの信号測定値を含む、又は
ログレコードは、端末の位置情報、端末のサービングセルの信号測定値、及び端末の少なくとも１つの隣接セルの信号測定値を含む。
【００４３】
端末の位置情報は、地理的位置情報、例えば衛星測位システムを用いて取得した地理的位置情報であり得るか、又は端末が現在位置しているサービングセルに関する情報及び／又は隣接するセルに関する情報であり得る。
【００４４】
オプションとして、端末は、非アクティブ状態に入った後にＭＤＴログ測定を実行し、特定の条件が満たされたときにログレコードを生成する。
【００４５】
可能な方法では、満たされる特定の条件は、例えば第１の時間間隔が満了することであり得る。例えば、端末は、第１の時間間隔が満了したときにログレコードを生成することができる。第１の時間間隔が１０ミリ秒である場合に、非アクティブ状態に入った後に、端末は、ＭＤＴログ測定を実行し、ログレコードを１０ミリ秒毎に生成する。オプションとして、端末が接続状態に入った後に、端末はログレコードの生成を停止する。第１の時間間隔は、例えば、端末のためにネットワーク装置によって構成され得るか、又は予め規定されたデフォルト値であり得る。これは、本願のこの実施形態に限定されない。
【００４６】
あるいはまた、満たされる特定の条件は、例えば、ＲＲＣ接続の再開に失敗することであり得る。例えば、端末は、ＲＲＣ接続の再開に失敗したときに、ログレコードを生成する場合がある。具体的には、端末は、非アクティブ状態に入った後にＭＤＴログ測定を実行し、そしてＲＲＣ接続の再開に失敗した場合にログレコードを生成する。
【００４７】
いくつかの実施形態では、満たされる特定の条件は、例えば、第１の時間間隔が満了するか、又はＲＲＣ接続の再開に失敗することであり得る。具体的には、ログレコードの生成は、第１の時間間隔が満了したとき、又はＲＲＣ接続の再開に失敗したときにトリガーされる。例えば、端末は、第１の時間間隔が満了したときにログレコードを生成し、また、ＲＲＣ接続の再開に失敗したときにログレコードを生成することができる。
【００４８】
従って、端末が生成したログレコードは、第１の時間間隔に基づいて生成されたログレコードを含み得、また、ＲＲＣ接続再開の失敗に基づいて生成されたログレコードを含み得る。２つのログレコードのタイプは異なる。従って、２つのタイプのログレコードを分類して端末側に格納する、つまり異なる変数で置くことができる。例えば、第１の変数は、定期的に生成されるログレコードに対応し、第２の変数は、ＲＲＣ接続の再開に失敗したときに生成されるログレコードに対応する。
【００４９】
この実施形態のログレコードは、定期的に生成されるログレコードに限定されるものではなく、複数のタイプのログレコードを含む。ネットワーク装置は、異なるタイプのログレコードに基づいてモバイルネットワーク評価を実行することができ、それによって、モバイル通信システムの複数のネットワーク要件がさらに満たされ、モバイルネットワーク品質評価の柔軟性がさらに向上する。また、２つのタイプのログレコードは異なる変数で格納されるため、各タイプのログレコードを容易且つ迅速に見つけることができ、それによりログレコードの送信効率が向上する。
【００５０】
端末が生成したログレコードは、１つ又は複数のログレコードを含み得ることが理解され得る。これは、本願のこの実施形態に限定されない。
【００５１】
Ｓ３０２：端末が接続状態にあるときに、生成したログレコードをネットワーク装置に送信する。
【００５２】
Ｓ３０３：ネットワーク装置は、ログレコードを処理する。
【００５３】
オプションとして、本願のこの実施形態では、ログレコードを受信した後に、ネットワーク装置は、対応する処理、例えば、記憶及び／又は解析処理を実行することができる。解析処理は、例えば、ネットワーク装置のカバレッジエリア内のモバイルネットワークの品質評価及び／又はモバイルネットワークの最適化を含み得る。ネットワーク装置の特定の処理動作は、本願のこの実施形態では限定されない。
【００５４】
この実施形態では、端末が非アクティブ状態から接続状態に入った後に、端末は、端末が非アクティブ状態にあるときに生成したログレコードをネットワーク装置に送信することができる。オプションとして、端末は、端末によって格納され、且つ端末が非アクティブ状態にあるときに生成したログレコードをネットワーク装置に送信することができる。例えば、端末は、端末が非アクティブ状態にある場合に、合計１００個のログレコードを生成する。端末に格納されるログレコードの記憶容量には限りがあるため、端末は最新の５０個のログレコードのみを格納する。この場合に、端末は、端末が生成した５０個のログレコードをネットワーク装置に送信する。これに対応して、ネットワーク装置は、端末からログレコードを受信し、次に受信したログレコードを処理する。例えば、ネットワーク装置は、ログレコードを処理して、ネットワーク装置のカバレッジエリア内のモバイルネットワークの品質を評価し、モバイルネットワークを最適化する。
【００５５】
いくつかの他の実施形態では、端末は、端末が別のＲＲＣ状態（例えば、非アクティブ状態）にあるときに、ログレコードをネットワーク装置に送信することもできる。
【００５６】
この実施形態で提供される通信方法によれば、非アクティブ状態にあるとき、端末は、ＭＤＴログ測定を実行し、また、ログレコードを生成する。さらに、接続状態にある場合に、端末は、生成したログレコードをネットワーク装置に送信する。従って、ネットワーク装置は、モバイルネットワーク品質評価に関するより多くのログレコードを取得することができ、それによって、モバイル通信システム（例えば、５Ｇシステム）のネットワーク要件が満たされ、モバイルネットワーク品質評価の柔軟性が向上する。
【００５７】
いくつかの実施形態では、接続状態に入った後であって、ログレコードをネットワーク装置に送信する前に、端末は、第１のメッセージをネットワーク装置に送信する。第１のメッセージには、第１の時間間隔に基づいて生成されたログレコードが端末にあることを示すために使用される情報、及び／又はＲＲＣ接続再開の失敗に基づいて生成されたログレコードが端末にあることを示すために使用される情報が含まれる。いくつかの他の実施形態では、第１のメッセージには、ログレコードが端末にあることを示すために使用される情報が含まれる。この情報は、ログレコードが端末にあることをネットワーク装置に通知するために使用されるが、ログレコードが第１の時間間隔に基づいて生成されたか、又はＲＲＣ接続再開の失敗に基づいて生成されたかどうかをネットワーク装置に通知しない。複数の生成したログレコードが全て第１の時間間隔で端末によって生成される場合に、第１のメッセージには、第１の時間間隔に基づいて生成されたログレコードが端末にあることを示すために使用される情報が含まれる。ＲＲＣ接続の再開に失敗したときに、複数の生成したログレコードが全て端末によって生成される場合に、第１のメッセージには、ＲＲＣ接続再開の失敗に基づいて生成されたログレコードが端末にあることを示すために使用される情報が含まれる。いくつかのログレコードが第１の時間間隔で端末によって生成され、残りのログレコードがＲＲＣ接続の再開に失敗したときに端末によって生成される場合に、第１のメッセージには、第１の時間間隔に基づいて生成されたログレコードが端末にあることを示すために使用される情報、及びＲＲＣ接続再開の失敗に基づいて生成されたログレコードが端末にあることを示すために使用される情報が含まれる。
【００５８】
これに対応して、ネットワーク装置は、端末から第１のメッセージを受信し、第１のメッセージに基づいて、ログレコードのタイプ又は端末内のログレコードがどの様に生成されたかを決定し、次に、ネットワーク装置がログレコードを取得する必要があるかどうかを決定する。ネットワーク装置が、このネットワーク装置がログレコードを取得する必要があると決定した場合に、ネットワーク装置は、第２のメッセージを端末に送信する。第２のメッセージには、ログレコードを要求するために使用される情報が含まれる。これに対応して、端末は、ネットワーク装置から第２のメッセージを受信し、第２のメッセージに基づいて、ネットワーク装置がログレコードを取得する必要があると決定し、次に、端末が生成したログレコードをネットワーク装置に送信する。従って、端末は、ネットワーク装置がログレコードを要求する必要がある場合にのみ、ログレコードをネットワーク装置に送信し、送信リソースの浪費を回避する。
【００５９】
オプションとして、ネットワーク装置が第１の時間間隔に基づいて生成されたログレコードを取得する必要がある場合に、第２のメッセージには、第１の時間間隔に基づいて生成されたログレコードを要求するために使用される情報が含まれ得る。ネットワーク装置がＲＲＣ接続再開の失敗に基づいて生成されたログレコードを取得する必要がある場合に、第２のメッセージには、ＲＲＣ接続再開の失敗に基づいて生成されたログレコードを要求するために使用される情報が含まれ得る。ネットワーク装置が２つのタイプのログレコードを取得する必要がある場合に、第２のメッセージには、ログレコードを要求するために使用される情報が含まれ得るが、この情報は、ネットワーク装置が要求するタイプのログレコードを示していない。情報を受信した後に、端末は、端末に格納されている全てのログレコードをネットワーク装置に送信する。ネットワーク装置が２つのタイプのログレコードを取得する必要がある場合に、第２のメッセージには、第１の時間間隔に基づいて生成されたログレコード、及びＲＲＣ接続再開の失敗に基づいて生成されたログレコードを要求するために使用される情報が含まれ得る。
【００６０】
オプションとして、端末が第１のメッセージをネットワーク装置に送信する前に、端末は、非アクティブ状態から接続状態に入る。例えば、端末は、ＲＲＣ再開要求（RRC  resume  Request）メッセージをネットワーク装置に送信する。次に、ネットワーク装置は、受信したＲＲＣ再開要求メッセージに基づいてＲＲＣ再開（RRC  resume）メッセージを端末に送信し、端末は、受信したＲＲＣ再開メッセージに基づいて接続モードに入る。接続状態に入った後に、端末は、第１のメッセージをネットワーク装置に送信する。第１のメッセージは、例えば、ＲＲＣ再開完了（RRC  resume  Complete）メッセージであり得る。第２のメッセージは、例えば、ＵＥ情報要求（UE  information  Request）メッセージである。ＵＥ情報要求メッセージを受信した後に、端末は、生成したログレコードを、ＵＥ情報応答（UE  information  Response）メッセージを介してネットワーク装置に送信することができる。
【００６１】
オプションとして、Ｓ３０２の前に、この方法は、ステップＳ３００をさらに含み得る。
【００６２】
Ｓ３００：ネットワーク装置は、ＭＤＴログ測定の構成情報を端末に送信する。
【００６３】
この実施形態では、ネットワーク装置は、ＭＤＴログ測定の構成情報を端末に送信することができる。これに対応して、端末は、ネットワーク装置からＭＤＴログ測定の構成情報を受信する。次に、端末はＳ３０１及びＳ３０２を実行する。非アクティブ状態に入った後に、端末は、ＭＤＴログ測定の構成情報に基づいてＭＤＴログ測定を実行することができる。ログ測定の構成情報を端末に送信するネットワーク装置と、端末がログレコードを送信するネットワーク装置とは、同じネットワーク装置であっても、又は異なるネットワーク装置であってもよいことに留意されたい。図３は、ログ測定の構成情報を端末に送信するネットワーク装置と、端末がログレコードを送信するネットワーク装置とが同じネットワーク装置である例を用いて示している。本願はこれに限定されない。
【００６４】
いくつかの実施形態では、ネットワーク装置は、ＭＤＴログ測定の構成情報を、ＲＲＣメッセージを介して端末に送信することができる。これに対応して、端末は、ネットワーク装置からＲＲＣメッセージを受信し、ＲＲＣメッセージからＭＤＴログ測定構成を取得する。
【００６５】
オプションとして、ＲＲＣメッセージは、非アクティブ状態に入るように端末に示すために使用されるメッセージであり得る。具体的には、ネットワーク装置は、端末を非アクティブ状態に入れるように構成している間に、ＭＤＴログ測定の構成情報を端末に送信することができる。これに対応して、ＲＲＣメッセージを受信した後に、端末は、非アクティブ状態に入り、次にＳ３０２及びＳ３０２を実行する。ＲＲＣメッセージは、例えば、非アクティブ状態に入るように端末に示すために使用される情報を伝達するＲＲＣ接続解放（release）メッセージである。従って、ＲＲＣメッセージを使用してＭＤＴログ測定の構成情報を伝達でき、新しいメッセージを追加する必要はない。あるいはまた、ＭＤＴログ測定の構成情報を送信しない場合があることが理解され得る。具体的には、ＲＲＣメッセージは、ＭＤＴログ測定の構成情報を伝達しない場合がある。ＲＲＣメッセージを受信した後に、端末は、デフォルトの（例えば、予め規定された）パラメータ又は設定に基づいて、ＭＤＴログ測定を実行することができる。
【００６６】
あるいはまた、ＭＤＴログ測定の構成情報は、別のメッセージを介して、又は別の形態で送信され得ることが理解され得る。例えば、ＭＤＴログ測定の構成情報は、１つの専用シグナリングを介して送信される。これは、本願のこの実施形態に限定されない。
【００６７】
いくつかの実施形態では、ＭＤＴログ測定の構成情報は、第１の情報を含む。第１の情報は、ＭＤＴログ測定が信号品質測定を含むことを示すために使用される。これに対応して、端末は、ＭＤＴログ測定を実行しながら信号品質測定を実行する。
【００６８】
第１の情報は、ＭＤＴログ測定の実行が信号強度測定の実行を含むことを示すためにも使用され得る。
【００６９】
信号品質は、信号強度によって表され得ることが理解され得る。この理解に基づいて、信号品質測定は信号強度測定も含むと考えることができる。
【００７０】
あるいはまた、信号品質測定及び信号強度測定は、異なる次元と見なされ得る。オプションとして、第１の情報は、ＭＤＴログ測定が信号品質測定及び／又は信号強度測定を含むことを示すために使用され得る。これに対応して、端末は、ＭＤＴログ測定を実行しながら、信号品質測定及び信号強度測定を実行する。
【００７１】
本願のこの実施形態では、信号強度測定値及び信号品質測定値を総称して信号測定値と呼ぶ場合がある。確かに、オプションとして、ＭＤＴログ測定の構成情報は、第２の情報をさらに含み、第２の情報は、信号品質測定におけるセマフォが、参照信号受信電力（Reference  Signal  Receiving  Power,  RSRP）、参照信号受信品質（Reference  Signal  Received  Quality,  RSRQ）、及び信号対干渉プラス雑音比（Signal  to  Interference  plus  Noise  Ratio,  SINR）のいずれか１つ又は組合せを含むことを示す。ＳＩＮＲは、信号品質を表すために使用され得る。
【００７２】
例えば、信号品質測定におけるセマフォは、ＲＳＲＰを含む、又は
信号品質測定におけるセマフォは、ＲＳＲＱを含む、又は
信号品質測定におけるセマフォは、ＳＩＮＲを含む、又は
信号品質測定におけるセマフォは、ＲＳＲＰ及びＲＳＲＱを含む、又は
信号品質測定におけるセマフォは、ＲＳＲＰ及びＳＩＮＲを含む、又は
信号品質測定におけるセマフォは、ＲＳＲＱ及びＳＩＮＲを含む、又は
信号品質測定におけるセマフォは、ＲＳＲＰ、ＲＳＲＱ、及びＳＩＮＲを含む。
【００７３】
これに対応して、ＭＤＴログ測定を実行するときに、端末は、第２の情報に基づいて、信号のＲＳＲＰ、ＲＳＲＱ、及びＳＩＮＲのいずれか１つ又は組合せを測定する。従って、端末が生成したログレコードに含まれる信号測定値は、ＲＳＲＰ、ＲＳＲＱ、及びＳＩＮＲのいずれか１つ又は組合せの測定値である。
【００７４】
オプションとして、信号品質測定は、マルチメディアブロードキャストマルチキャストサービス単一周波数ネットワーク（Multimedia  Broadcast  multicast  service  Single  Frequency  Network,  MBSFN）測定を含み得、ＲＳＲＰ、ＲＳＲＱ、及びＳＩＮＲのいずれか１つ又は組合せが、ＭＢＳＦＮ測定を介して得られ得る。
【００７５】
いくつかの実施形態では、ＭＤＴログ測定の構成情報には、測定閾値が含まれ得る。端末は、第１の時間間隔が満了したときに、サービングセルの信号測定値が測定閾値より大きいかどうかを判定する。サービングセルの信号測定値が測定閾値以下である場合に、端末はログレコードを生成する。サービングセルの信号測定値が測定閾値よりも大きい場合に、端末はログレコードを生成しない。サービングセルの信号測定値が測定閾値よりも大きい場合に、サービングセルの信号品質は良好であり、エアインターフェイスは正常であると見なすことができる。この場合に、サービングセルの信号測定値をネットワーク装置に報告する必要がないため、生成されるログレコードの量が削減される。
【００７６】
オプションとして、信号測定値は、信号品質値を含み得る。信号品質値は、例えば、ＲＳＲＰ、ＲＳＲＱ、及びＳＩＮＲのいずれか１つ又は組合せを用いて表すことができる。あるいはまた、信号測定値は、信号品質値及び信号強度値を含み得る。信号品質値は、例えば、ＲＳＲＱ及びＳＩＮＲを用いて表すことができ、信号強度値は、ＲＳＲＰを用いて表すことができる。あるいはまた、信号測定値は、信号強度値を含み得る。信号測定値は、例えば、ＲＳＲＰを用いて表すことができる。
【００７７】
いくつかの実施形態では、ＭＤＴログ測定の構成情報は、第３の情報を含み得、第３の情報は、第１の時間間隔を示す。従って、ＭＤＴログ測定の構成情報を受信した後に、端末は、ＭＤＴログ測定の構成情報から第１の時間間隔を取得する。非アクティブ状態に入った後に、端末は、ＭＤＴログ測定を実行し、ＭＤＴログ測定の構成情報から取得した第１の時間間隔が満了したときにログレコードを生成する。可能な方法では、端末がＭＤＴログ測定の構成情報を受信した後に、端末が非アクティブ状態に入ると、端末は、定期的なタイマー（これは第１のタイマーとも呼ばれ得る）を開始する。定期的なタイマーの期間は、取得した第１の時間間隔の長さである。定期的なタイマーが時間切れになると、端末は、ログレコードを生成し、定期的なタイマーを再開する。この実施形態における第１の時間間隔は、端末のためにネットワーク装置によって構成される。
【００７８】
いくつかの実施形態では、ＭＤＴログ測定の構成情報は、第４の情報を含み得、第４の情報は、ＭＤＴログ測定の構成情報の期間を示す。従って、ＭＤＴログ測定の構成情報を受信した後に、端末は、タイマー（第２のタイマーとも呼ばれ得る）を開始し、第２のタイマーの値を前記期間に設定する。第２のタイマーが時間切れになっていない場合に、ＭＤＴログ測定の構成情報は有効であり、端末は、ＭＤＴログ測定の構成情報に基づいてＭＤＴログ測定を実行する。第２のタイマーが時間切れになった場合に、ＭＤＴログ測定の構成情報は無効になり、端末は、もはやＭＤＴログ測定の構成情報に基づいてＭＤＴログ測定を実行しなくなる。従って、端末は、ＭＤＴログ測定の構成情報に基づいてＭＤＴログ測定を常に実行することが防止され、それによって、端末は、ＭＤＴログ測定をより柔軟に実行することができる。
【００７９】
オプションとして、第２のタイマーが時間切れになる前に端末が非アクティブ状態から接続状態に入った場合に、第２のタイマーは動作し続けることができるが、接続状態の端末は、ＭＤＴログ測定を実行せず、第２のタイマーの動作中にログレコードを生成しない。そして、端末が接続状態から再び非アクティブ状態に入った後に、又は第２タイマーが時間切れになる前に接続状態からアイドル状態に入った後に、第２タイマーが動作し続ける場合に、第２タイマーの動作中に、非アクティブ状態又はアイドル状態の端末は、ＭＤＴログ測定の構成情報に基づいてＭＤＴログ測定を実行し、ログレコードを生成し得る。第２のタイマーが時間切れになる前に端末が非アクティブ状態からアイドル状態に入った場合に、第２のタイマーは動作し続けることができ、第２のタイマーの動作中に、アイドル状態の端末は、アイドル状態の端末に適用可能なログ測定の構成情報に基づいて測定を実行し、ログレコードも生成する。また、別の可能な方法では、第２のタイマーが時間切れになる前に端末が非アクティブ状態から接続状態又はアイドル状態に入った場合に、第２のタイマーが動作し続け、接続状態又はアイドル状態の端末は、ＭＤＴログ測定を実行せず、第２のタイマーの動作中にログレコードを生成しない。あるいはまた、さらに別の可能な方法では、第２のタイマーが時間切れになる前に端末が非アクティブ状態から接続状態又はアイドル状態に入った場合に、第２のタイマーは停止する。また、端末がアイドル状態にある場合に、アイドル状態の端末は、アイドル状態の端末に適用可能なログ測定の構成情報に基づいて測定を実行し、ログレコードを生成することができる。
【００８０】
いくつかの実施形態では、ＭＤＴログ測定の構成情報は、非アクティブ状態でＭＤＴログ測定を実行するように端末に示すために使用される情報、又は非アクティブ状態とアイドル状態との両方でＭＤＴログ測定を実行するように端末に示すために使用される情報を含み得る。ＭＤＴログ測定の構成情報が、非アクティブ状態でＭＤＴログ測定を実行するように端末に示すために使用される情報をさらに含む場合に、ＭＤＴログ測定の構成情報は、非アクティブ状態の端末によるＭＤＴログ測定の実行に適用可能であるが、アイドル状態の端末によるＭＤＴログ測定の実行に適用不可であることを示し、アイドル状態の端末は、他のＭＤＴログ測定の構成情報に基づいてＭＤＴログ測定を実行する場合がある。ＭＤＴログ測定の構成情報が、非アクティブ状態とアイドル状態との両方でＭＤＴログ測定を実行するように端末に示すために使用される情報をさらに含む場合に、ＭＤＴログ測定の構成情報は、非アクティブ状態及びアイドル状態の端末によるＭＤＴログ測定の実行に適用可能であることを示す。従って、非アクティブ状態の端末は、ＭＤＴログ測定の構成情報に基づいてＭＤＴログ測定を実行することができ、アイドル状態の端末はまた、ＭＤＴログ測定の構成情報に基づいてＭＤＴログ測定を実行することができる。
【００８１】
ＭＤＴログ測定の構成情報は、第１の情報、第３の情報、第４の情報、測定閾値、及び非アクティブ状態でＭＤＴログ測定を実行するように端末に示すために使用される情報のいずれか１つ又は組合せを含み得る、又は
ＭＤＴログ測定の構成情報は、第１の情報、第３の情報、第４の情報、測定閾値、及び非アクティブ状態とアイドル状態との両方でＭＤＴログ測定を実行するように端末に示すために使用される情報のいずれか１つ又は組合せを含み得る、又は
ＭＤＴログ測定の構成情報は、第１の情報と第２の情報、第３の情報、第４の情報、測定閾値、及び非アクティブ状態でＭＤＴログ測定を実行するように端末に示すために使用される情報のいずれか１つ又は組合せを含み得る、又は
ＭＤＴログ測定の構成情報は、第１の情報と第２の情報、第３の情報、第４の情報、測定閾値、及び非アクティブ状態とアイドル状態との両方でＭＤＴログ測定を実行するように端末に示すために使用される情報のいずれか１つ又は組合せを含み得る、ことに留意されたい。
【００８２】
第１の情報及び第２の情報は、第１の情報と第２の情報との組合せを指し、第１の情報及び第２の情報を含むことに留意されたい。オプションとして、前述した信号測定値は、セルレベルの信号測定値とビームレベルの信号測定値とに分類することができる。信号測定値は、セル信号測定値及びダウンリンクビームの信号測定値のいずれか１つ又は組合せを含む。従って、サービングセルの信号測定値は、サービングセルのセル信号測定値及びサービングセルのダウンリンクビームの信号測定値のいずれか１つ又は組合せを含み、隣接セルの信号測定値は、隣接セルのセル信号測定値、及び隣接セルのダウンリンクビームの信号測定値を含み得る。
【００８３】
いくつかの実施形態では、信号測定値がセル信号測定値である場合に、ログレコードは、サービングセルのセル信号測定値、及び少なくとも１つの隣接するセルのセル信号測定値のいずれか１つ又は組合せを含み得る。
【００８４】
いくつかの実施形態では、信号測定値がダウンリンクビームの信号測定値である場合に、一実施態様では、ログレコードは、サービングセルの全てのダウンリンクビームの信号測定値、及び少なくとも１つの隣接セルの全てのダウンリンクビームの測定値信号のいずれか１つ又は組合せを含み得る。具体的には、ログレコードは、
サービングセルの全てのダウンリンクビームの信号測定値、又は
少なくとも１つの隣接セルの全てのダウンリンクビームの信号測定値、又は
サービングセルの全てのダウンリンクビームの信号測定値、及び少なくとも１つの隣接セルの全てのダウンリンクビームの信号測定値を含み得る。
【００８５】
別の実施態様では、ログレコードは、サービングセルの最高品質を含む最大Ｎ個のダウンリンクビームの信号測定値、及び少なくとも１つの隣接セルの最高品質を含む最大Ｍ個のダウンリンクビームの信号測定値のいずれか１つ又は組合せを含み得、ここで、Ｎ及びＭは、０より大きい整数である。オプションとして、Ｎは、Ｍに等しくても、等しくなくてもよい。具体的には、ログレコードは、
サービングセルの最高品質を含む最大Ｎ個のダウンリンクビームの信号測定値、又は
少なくとも１つの隣接セルの最高品質を含む最大Ｍ個のダウンリンクビームの信号測定値、又は
サービングセルの最高品質を含む最大Ｎ個のダウンリンクビームの信号測定値、及び少なくとも１つの隣接セルの最高品質を含む最大Ｍ個のダウンリンクビームの信号測定値を含み得る。
【００８６】
オプションとして、Ｎ及びＭは、端末のためにネットワーク装置によって構成され得、例えば、ＭＤＴログ測定の構成情報に含まれる。
【００８７】
従って、ログレコードは、ダウンリンクビームの信号測定値を含み得、ビームを含むモバイルネットワークでの品質評価により適している。
【００８８】
オプションとして、ＭＤＴログ測定の構成情報は、ログレコードが、セル信号測定値、及びダウンリンクビームの信号測定値のいずれか１つ又は組合せを含むことを示す情報をさらに含み得る。ＭＤＴログ測定の構成情報が、ログレコードにセル信号測定値が含まれることを示す情報を含む場合に、端末によって生成されるログレコードは、サービングセルのセル信号測定値、及び少なくとも１つの隣接セルのセル信号測定値のいずれか１つ又は組合せを含む。ＭＤＴログ測定の構成情報が、ログレコードにダウンリンクビームの信号測定値が含まれることを示す情報を含む場合に、端末が生成したログレコードは、サービングセルのダウンリンクビームの信号測定値、及び少なくとも１つの隣接するセルのダウンリンクビームの信号測定値のいずれか１つ又は組合せを含む。ＭＤＴログ測定の構成情報が、ログレコードにセル信号測定値及びダウンリンクビームの信号測定値が含まれることを示す情報を含む場合に、端末が生成したログレコードは、
サービングセルのセル信号測定値、及びサービングセルのダウンリンクビームの信号測定値、又は
少なくとも１つの隣接セルのセル信号測定値、及び少なくとも１つの隣接セルのダウンリンクビームの信号測定値、又は
サービングセルのセル信号測定値、サービングセルのダウンリンクビームの信号測定値、少なくとも１つの隣接セルのセル信号測定値、及び少なくとも１つの隣接セルのダウンリンクビームの信号測定値を含む。
【００８９】
オプションとして、ＭＤＴログ測定の構成情報が、ログレコードにセル信号測定値及びダウンリンクビームの信号測定値のいずれか１つ又は組合せが含まれることを示す情報を含まない場合に、端末が生成したログレコードは、デフォルトでは、サービングセルのダウンリンクビームの信号測定値、及び少なくとも１つの隣接セルのダウンリンクビームの信号測定値のいずれか１つ又は組合せを含み、ログレコードは、サービングセルのセル信号測定値、及び少なくとも１つの隣接セルのセル信号測定値を含まない。これに対応して、ネットワーク装置は、端末からログレコードを受信する。ログレコードは、サービングセルのダウンリンクビームの信号測定値、及び少なくとも１つの隣接セルのダウンリンクビームの信号測定値のいずれか１つ又は組合せを含む。ネットワーク装置は、ダウンリンクビームの信号測定値に基づいて、対応するセルのセル信号測定値を取得することができる。従って、シグナリングのオーバーヘッドを削減することができる。
【００９０】
いくつかの実施形態では、非アクティブ状態の端末が生成したログレコードは、第５の情報をさらに含み、第５の情報は、ログレコードが生成されたときに端末が非アクティブ状態にあることを示す。実施形態では、端末が非アクティブ状態にあるときにログレコードが生成される場合に、端末がアイドル状態にあるときに生成されたログレコードと区別するために、実施形態において非アクティブ状態で生成されたログレコードは、ログレコードを生成するときに端末が非アクティブ状態にあることを示す第５の情報を含む。オプションとして、端末が第２のタイマーに基づいてアイドル状態でログレコードを生成する場合に、ログレコードは、ログレコードを生成するときに端末がアイドル状態にあることを示す情報を含み得る。従って、異なるＲＲＣ状態で生成されたログレコードを区別することができ、異なるＲＲＣ状態のログレコードを使用してモバイルネットワークを評価し、モバイルネットワーク評価の精度をさらに向上させる。
【００９１】
いくつかの実施形態では、端末が非アクティブ状態にあり、端末のサービングセルが第１のセルから第２のセルに変更される場合に、端末は、移動記録情報を取得し、移動記録情報をネットワーク装置に送信する。
【００９２】
移動記録情報は、第６の情報、第７の情報、又は第８の情報のいずれか１つ又は組合せを含む。第６の情報は、端末が第１のセルで非アクティブ状態（つまり、元のサービングセルでの端末のＲＲＣ状態）にあることを示す。第７の情報は、端末が第２のセルで非アクティブ状態（つまり、新しいサービングセルでの端末のＲＲＣ状態）にあることを示す。第８の情報は、端末が、セル再選択、セル選択、又はセルハンドオーバー（すなわち、サービングセルを変更するために端末によって実行される動作）を通じて、サービングセルを第１のセルから第２のセルに変更することを示す。
【００９３】
例えば、移動記録情報は、第６の情報を含む、又は
移動記録情報は、第７の情報を含む、又は
移動記録情報は、第８の情報を含む、又は
移動記録情報は、第６の情報、及び第７の情報を含む、又は
移動記録情報は、第６の情報、及び第８の情報を含む、又は
移動記録情報は、第７の情報、及び第８の情報を含む、又は
移動記録情報は、第６情報、第７情報、及び第８情報を含む。
【００９４】
オプションとして、端末は、移動記録情報及びログレコードを同じメッセージを介してネットワーク装置に送信することができ、同じメッセージは、例えば、ＵＥ情報応答である。あるいはまた、端末は、移動記録情報及びログレコードを異なるメッセージを介してネットワーク装置に送信することができる。
【００９５】
オプションとして、移動記録情報は、代替的に、ログレコードの一部として、端末によってネットワーク装置に送信され得る。
【００９６】
オプションとして、端末は、端末に移動記録情報があることを示す情報をネットワーク装置にさらに送信する。ネットワーク装置は、その情報に基づいて、移動記録情報を要求するための情報を端末に送信する。移動記録情報を要求するための情報を受信した後に、端末は、移動記録情報をネットワーク装置に送信する。例えば、移動記録情報を要求するための情報は、前述したＵＥ情報要求メッセージに含まれ得る。
【００９７】
ＲＲＣ接続の再開に失敗したときに端末がログレコードを生成する前述した解決策に基づいて、図４を参照して説明するために例を以下に提供する。図４は、本願の別の実施形態による通信方法のフローチャートである。図４に示されるように、この実施形態の方法は、以下のステップを含み得る。
【００９８】
Ｓ４０１：ネットワーク装置は、非アクティブ状態に入るように端末に示すためのメッセージを端末に送信する。
【００９９】
この実施形態では、ネットワーク装置は、非アクティブ状態に入るように端末に示すことができる。例えば、ネットワーク装置は、ＲＲＣ接続解放メッセージを端末に送信し、ＲＲＣ接続解放メッセージは、非アクティブ状態に入るように端末に示すための情報を含む。
【０１００】
Ｓ４０２：端末は非アクティブ状態に入る。
【０１０１】
この実施形態では、前述したメッセージ、例えば、ＲＲＣ接続解放メッセージを受信した後に、端末は、ＲＲＣ接続解放メッセージにあり、且つ非アクティブ状態に入るように端末に示すために使用される情報に従って、非アクティブ状態に入る。
【０１０２】
Ｓ４０３：端末は、ＲＲＣ接続の再開要求メッセージをネットワーク装置に送信する。
【０１０３】
この実施形態では、端末が非アクティブ状態から接続状態に入る必要がある場合に、端末は、ＲＲＣ接続の再開要求メッセージをネットワーク装置に送信して、ＲＲＣ接続を再開するように要求する。
【０１０４】
Ｓ４０４：ＲＲＣ接続の再開に失敗したときに、端末はログレコードを生成する。
【０１０５】
この実施形態では、端末は、ネットワーク装置にＲＲＣ接続を再開するように要求する。ＲＲＣ接続の再開に失敗した場合に、端末はログレコードを生成する。ログレコードの説明については、前述した実施形態の関連する説明を参照されたい。詳細については、ここでは再度説明しない。
【０１０６】
Ｓ４０５：端末は、ＲＲＣ接続要求メッセージをネットワーク装置に送信する。
【０１０７】
この実施形態では、ＲＲＣ接続の再開に失敗した後に、端末は、ＲＲＣ接続要求メッセージをネットワーク装置に送信して、ＲＲＣ接続を確立するように要求する。
【０１０８】
Ｓ４０６：ネットワーク装置は、ＲＲＣ接続セットアップメッセージを端末に送信する。
【０１０９】
この実施形態では、端末によって送信されたＲＲＣ接続要求メッセージを受信した後に、ネットワーク装置は、ＲＲＣ接続セットアップメッセージを端末に送信する。
【０１１０】
Ｓ４０７：端末は、ＲＲＣ接続セットアップ完了メッセージをネットワーク装置に送信する。
【０１１１】
この実施形態では、ネットワーク装置によって送信されたＲＲＣ接続セットアップメッセージを受信した後に、端末は、ＲＲＣ接続セットアップ完了メッセージをネットワーク装置に送信する。このようにして、端末は接続状態に入る。
【０１１２】
可能な方法では、ＲＲＣ接続セットアップ完了メッセージは、ＲＲＣ接続再開の失敗に基づいて生成されたログレコードが端末にあることを示す情報を含み得る。
【０１１３】
オプションとして、ＲＲＣ接続再開の失敗に基づいて生成されたログレコードが端末にあることを示す情報は、代替的に、ＲＲＣ接続要求メッセージに含まれ得る。換言すれば、端末は、ＲＲＣ接続要求メッセージ又はＲＲＣ接続セットアップ完了メッセージを用いて、ＲＲＣ接続再開の失敗に基づいて生成されたログレコードが端末にあるという情報を示すことができる。
【０１１４】
オプションとして、ＲＲＣ接続再開の失敗に基づいて生成されたログレコードが端末にあることを示す情報は、代替的に、ＲＲＣ接続の再開失敗の利用可能なログ指標情報と呼ばれ得る。
【０１１５】
Ｓ４０８：ネットワーク装置は、ログ要求メッセージを端末に送信する。
【０１１６】
端末が接続状態に入った後に、ネットワーク装置は、ＲＲＣ接続要求メッセージ又はＲＲＣ接続セットアップ完了メッセージに基づいて、ＲＲＣ接続再開の失敗に基づいて生成されたログレコードが端末にあると判定し、次に、ログ要求メッセージを端末に送信する。また、ログ要求メッセージは、ＲＲＣ接続再開の失敗に基づいて生成されたログレコードを報告するように端末に示す情報を含む。オプションとして、ログ要求メッセージは、例えば、ＵＥ情報要求である。
【０１１７】
Ｓ４０９：端末は、ログ応答メッセージをネットワーク装置に送信する。
【０１１８】
端末は、ネットワーク装置によって送信されたログ要求メッセージを受信する。ログ要求メッセージには、ＲＲＣ接続再開の失敗に基づいて生成されたログレコードを報告するように端末に示す情報が含まれる。次に、端末は、ログ応答メッセージをネットワーク装置に送信する。ログ応答メッセージには、ＲＲＣ接続再開の失敗に基づいて端末が生成したログレコード（つまり、Ｓ４０４で端末が生成したログレコード）が含まれる。オプションとして、ログ応答メッセージは、例えば、ＵＥ情報応答である。ログレコードを受信した後に、ネットワーク装置は対応する処理を実行することができる。
【０１１９】
結論として、非アクティブ状態に入った後に、ＲＲＣ接続の再開に失敗した場合に、端末は、ログレコードを生成し、ＲＲＣ接続再開の失敗に基づいて生成されたログレコードが端末にあることをネットワーク装置に通知する。ネットワーク装置が端末からのＲＲＣ接続の再開に失敗したことに基づいて生成されたログレコードを要求した後に、端末は、ログレコードをネットワーク装置に報告し、それによって、ネットワーク装置は、モバイルネットワーク品質評価に関するより多くのログレコードを取得できるようになる。これにより、５Ｇモバイル通信システムのネットワーク要件が満たされ、モバイルネットワークの品質評価の柔軟性が向上する。
【０１２０】
一実施形態では、アイドル状態の端末が、ＭＤＴログ測定を実行し、ログレコードを生成する場合に、ログレコードは、セル信号測定値及びダウンリンクビームの信号測定値のいずれか１つ又は組合せを含み得る。ログレコードがダウンリンクビームの信号測定値を含む場合に、ログレコードは、サービングセルの全てのダウンリンクビームの信号測定値、及び少なくとも１つの隣接セルの全てのダウンリンクビームの信号測定値のいずれか１つ又は組合せを含み得る、又は、ログレコードは、サービングセルの最高品質を含むＮ個のダウンリンクビームの信号測定値、及び少なくとも１つの隣接セルの最高品質を含むＭ個のダウンリンクビームの信号測定値のいずれか１つ又は組合せを含み得る。ここで、Ｎ及びＭは、０より大きい整数であり、Ｎは、Ｍに等しくても、等しくなくてもよい。この段落で説明する実施形態は、前述した実施形態と組み合わせることができるか、又は前述した実施形態から独立してもよいことに留意されたい。
【０１２１】
前述した実施形態では、端末によって実施されるステップ又は動作は、代替的に、端末で使用され得る部品（例えば、チップ又は回路）によって実施され得、及びネットワーク装置によって実施されるステップ又は動作は、代替的に、アクセスネットワーク装置で使用され得る部品（例えば、チップ又は回路）によって実施され得ることが理解され得る。これは、本願の実施形態に限定されない。
【０１２２】
図５は、本願の実施形態による通信機器の概略構造図である。図５に示されるように、この実施形態の通信機器５００は、前述した方法の実施形態で述べた端末（又は、端末で使用できる部品）又はネットワーク装置（又はネットワーク装置で使用できる部品）であり得る。通信機器は、端末又はネットワーク装置に対応し、且つ前述した方法の実施形態で説明した方法を実施するように構成することができる。詳細については、前述した方法実施形態の説明を参照されたい。
【０１２３】
通信機器５００は、１つ又は複数のプロセッサ５０１を含み得る。プロセッサ５０１は、処理ユニットとも呼ばれ得、特定の制御又は処理機能を実現することができる。プロセッサ５０１は、汎用プロセッサ、専用プロセッサ等であり得る。例えば、プロセッサ５０１は、ベースバンドプロセッサ又は中央処理装置であり得る。ベースバンドプロセッサは、通信プロトコル及び通信データを処理するように構成され得る。中央処理装置は、通信機器を制御し、ソフトウェアプログラムを実行し、ソフトウェアプログラムのデータを処理するように構成され得る。
【０１２４】
オプションの設計では、プロセッサ５０１は、命令５０３又はデータ（例えば、中間データ）を格納することもできる。命令５０３は、プロセッサによって実行され得、それによって、通信機器５００は、端末又はネットワーク装置に対応し、且つ前述した方法の実施形態で説明した方法を実行する。
【０１２５】
別の可能な設計では、通信機器５００は回路を含み得る。回路は、前述した方法の実施形態において、送信、受信、又は通信機能を実現することができる。
【０１２６】
オプションとして、通信機器５００は、１つ又は複数のメモリ５０２を含み得る。メモリは、命令５０４を格納することができる。命令は、プロセッサ上で実行され得、それによって、通信機器５００は、前述した実施形態で説明した方法を実行する。
【０１２７】
オプションとして、メモリはデータを格納することもできる。プロセッサ及びメモリは別々に配置することも、又は一緒に統合することもできる。
【０１２８】
オプションとして、通信機器５００は、トランシーバ５０５及び／又はアンテナ５０６をさらに含み得る。プロセッサ５０１は、処理ユニットと呼ばれ得、通信機器（端末又はネットワーク装置）を制御する。トランシーバ５０５は、トランシーバユニット、トランシーバマシン、トランシーバ回路、トランシーバ等と呼ばれ得、通信機器のトランシーバ機能を実現するように構成される。
【０１２９】
ある設計では、通信機器５００は、前述した実施形態における端末に対応する動作を実施するように構成される。例えば、プロセッサ５０１は、ログレコードを生成することができ、ログレコードは、端末が非アクティブ状態にあるときにＭＤＴログ測定を実行することによって記録され、ログレコードは、端末の位置情報、端末のサービングセルの信号測定値、及び端末の少なくとも１つの隣接セルの信号測定値のいずれか１つ又は組合せを含む。そして、トランシーバ５０５は、端末が接続状態にあるときに、生成したログレコードをネットワーク装置に送信する。
【０１３０】
トランシーバ５０５及びプロセッサ５０１の特定の実施プロセスについては、前述した実施形態の関連する説明を参照されたい。詳細については、ここでは再度説明しない。
【０１３１】
別の設計では、通信機器は、前述した実施形態におけるネットワーク装置に対応する動作を実施するように構成される。例えば、トランシーバ５０５は、端末からログレコードを受信することができ、プロセッサ５０１は、ログレコードを処理する。ログレコードは、端末が非アクティブ状態にあるときにＭＤＴログ測定を実行することによって生成される。ログレコードは、端末の位置情報、端末のサービングセルの信号測定値、及び端末の少なくとも１つの隣接セルの信号測定値のいずれか１つ又は組合せを含む。
【０１３２】
トランシーバ５０５の特定の実施プロセスについては、前述した実施形態の関連する説明を参照されたい。詳細については、ここでは再度説明しない。
【０１３３】
本願で説明するプロセッサ５０１及びトランシーバ５０５は、集積回路（integrated  circuit,  IC）、アナログＩＣ、無線周波数集積回路（radio  frequency  integrated  circuit,  RFIC）、混合信号ＩＣ、特定用途向け集積回路（ASIC）、プリント回路基板（printed  circuit  board,  PCB）、電子装置等で実現され得る。プロセッサ及びトランシーバは、様々な１Ｃテクノロジー、例えば、相補型金属酸化膜半導体（complementary  metal  oxide  semiconductor,  CMOS）、Ｎチャネル金属酸化膜半導体（nNMOS）、Ｐチャネル金属酸化膜半導体（PMOS）、バイポーラ接合トランジスタ（Bipolar  Junction  Transistor,  BJT）、バイポーラＣＭＯＳ（BiCMOS）、シリコンゲルマニウム（SiGe）、及びガリウムヒ素（GaAs）を用いて製造することもできる。
【０１３４】
前述した実施形態の説明では、通信機器５００は、端末又はネットワーク装置を例として用いて説明しているが、本願で説明している通信機器は、端末又はネットワーク装置に限定されず、通信機器の構造は、図５によって制限してはならない。通信機器５００は、独立した装置であっても、又は比較的大きな装置の一部であってもよい。例えば、装置は、
（１）独立した集積回路ＩＣ、チップ、又はチップシステム又はサブシステム；
（２）１つ又は複数のＩＣを含むセット、ここで、オプションとして、ＩＣセットは、データ及び／又は命令を格納するように構成された記憶部分をさらに含み得る；
（３）ＡＳＩＣ、例えばモデム（MSM）；
（４）別の装置に組み込むことができるモジュール；
（５）受信機、端末、携帯電話（cellular  phone）、無線装置、携帯電話（handheld  phone）、モバイルユニット、ネットワーク装置等；又は
（６）他の装置等であってもよい。
【０１３５】
図６は、本願の実施形態による端末の概略構造図である。端末は、本願の前述した実施形態の端末に適用可能であり得る。説明を容易にするために、図６は、端末の主要部分のみを示している。図６に示されるように、端末６００は、プロセッサ、メモリ、制御回路、アンテナ、及び入力／出力機器を含む。プロセッサは、主に、通信プロトコル及び通信データを処理し、端末全体を制御し、ソフトウェアプログラムを実行し、且つソフトウェアプログラムのデータを処理するように構成される。メモリは、主に、ソフトウェアプログラム及びデータを格納するように構成される。無線周波数回路は、主に、ベースバンド信号と無線周波数信号との間の変換を実行し、無線周波数信号を処理するように構成される。アンテナは、主に、無線周波数信号を電磁波の形態で送受信するように構成される。タッチスクリーン、ディスプレイ、又はキーボード等の入出力機器は、主に、ユーザによって入力されたデータを受け取り、ユーザにデータを出力するように構成される。
【０１３６】
端末の電源が投入された後に、プロセッサは、ストレージユニット内のソフトウェアプログラムを読み出し、ソフトウェアプログラムの命令を解釈及び実行し、ソフトウェアプログラムのデータを処理することができる。データを無線で送信する必要がある場合に、プロセッサは、送信すべきデータに対してベースバンド処理を実行し、次にベースバンド信号を無線周波数回路に出力する。無線周波数回路は、ベースバンド信号に対して無線周波数処理を実行し、次にアンテナを用いて、電磁波の形態の無線周波数信号を送信する。端末にデータが送信されると、無線周波数回路は、アンテナを用いて無線周波数信号を受信し、無線周波数信号をベースバンド信号に変換し、ベースバンド信号をプロセッサに出力する。プロセッサは、ベースバンド信号をデータに変換し、データを処理する。
【０１３７】
当業者は、説明を容易にするために、図６が、１つのメモのみリ及び１つのプロセッサのみを示していることを理解し得る。実際の端末は、複数のプロセッサ及び複数のメモリを含み得る。メモリは、記憶媒体、記憶装置等とも呼ばれ得る。これは、本願の実施形態に限定されない。
【０１３８】
オプションの実施態様では、プロセッサは、ベースバンドプロセッサ及び中央処理装置を含み得る。ベースバンドプロセッサは、主に、通信プロトコル及び通信データを処理するように構成され、中央処理装置は、主に、端末全体を制御し、ソフトウェアプログラムを実行し、且つソフトウェアプログラムのデータを処理するように構成される。図６のプロセッサは、ベースバンドプロセッサ及び中央処理装置の機能を統合する。当業者は、代替的に、ベースバンドプロセッサ及び中央処理装置が独立したプロセッサであり得、バス等の技術を用いて相互接続され得ることを理解し得る。当業者は、端末が、異なるネットワーク規格に適応するために複数のベースバンドプロセッサを含み得、端末が、端末の処理能力を強化するために複数の中央処理装置を含み得ることを理解し得る。端末の全ての部分は、様々なバスを用いて接続できる。ベースバンドプロセッサは、ベースバンド処理回路又はベースバンド処理チップとして表すこともできる。中央処理装置は、中央処理回路又は中央処理チップとして表すこともできる。通信プロトコル及び通信データを処理する機能は、プロセッサに埋め込まれ得るか、又はソフトウェアプログラムの形態で記憶ユニットに記憶され得、それによって、プロセッサは、ソフトウェアプログラムを実行して、ベースバンド処理機能を実現する。
【０１３９】
一例では、トランシーバ機能を有するアンテナ及び制御回路は、端末６００のトランシーバモジュール６０１と見なすことができ、処理機能を有するプロセッサは、端末６００の処理モジュール６０２と見なすことができる。図６に示されるように、端末装置６００は、トランシーバモジュール６０１及び処理モジュール６０２を含む。トランシーバモジュールは、トランシーバ、トランシーバマシン、トランシーバ機器等とも呼ばれ得る。オプションとして、受信機能を実現するように構成され、且つトランシーバモジュール６０１内にあるコンポーネントは、受信モジュールと見なされ得、送信機能を実現するように構成され、且つトランシーバモジュール６０１内にあるコンポーネントは、送信モジュールとして見なされ得る。すなわち、トランシーバモジュール６０１は、受信モジュール及び送信モジュールを含む。受信モジュールは、受信機、受信マシン、受信回路等とも呼ばれ得る。送信モジュールは、送信機、送信マシン、送信機回路等とも呼ばれ得る。
【０１４０】
図７は、本願の別の実施形態による通信機器の概略構造図である。通信機器は、端末であってもよく、端末の一部（例えば、集積回路又はチップ）であってもよく、又は別の通信モジュールであってもよく、図３及び図４に示される方法の実施形態の端末に対応する動作又はステップを実施するように構成される。通信機器７００は、処理モジュール７０１及びトランシーバモジュール７０２を含み得る。
【０１４１】
処理モジュール７０１は、端末が非アクティブ状態にあるときにＭＤＴログ測定を実行し、ログレコードを生成するように構成される。ログレコードは、端末の位置情報、端末のサービングセルの信号測定値、及び端末の少なくとも１つの隣接セルの信号測定値のいずれか１つ又は組合せを含み、非アクティブ状態は、エアインターフェイス接続が中断され、且つコンテキスト情報が保持されるＲＲＣ状態を指す。
【０１４２】
トランシーバモジュール７０２は、端末が接続状態にあるときに、生成したログレコードをネットワーク装置に送信するように構成される。
【０１４３】
オプションとして、処理モジュール７０１は、第１の時間間隔が満了すると、ログレコードを生成する、及び／又はＲＲＣ接続の再開に失敗した場合に、ログレコードを生成するように特に構成される。
【０１４４】
オプションとして、トランシーバモジュール７０２は、ＭＤＴログ測定の構成情報を受信するようにさらに構成される。
【０１４５】
処理モジュール７０１は、ＭＤＴログ測定の構成情報に基づいて、ＭＤＴログ測定を実行するように特に構成される。
【０１４６】
オプションとして、トランシーバモジュール７０２は、ＲＲＣメッセージを介してＭＤＴログ測定の構成情報を受信するように特に構成される。
【０１４７】
オプションとして、ＲＲＣメッセージは、非アクティブ状態に入るように端末に示すために使用されるメッセージである。
【０１４８】
オプションとして、ＭＤＴログ測定の構成情報は、第１の情報を含み、第１の情報は、ＭＤＴログ測定が信号品質測定を含むことを示すために使用される。
【０１４９】
オプションとして、ＭＤＴログ測定の構成情報は、第２の情報をさらに含み、第２の情報は、信号品質測定のセマフォが、ＲＳＲＰ、ＲＳＲＱ、及びＳＩＮＲのいずれか１つ又は組合せを含むことを示す。
【０１５０】
オプションとして、ＭＤＴログ測定の構成情報は、測定閾値を含む。
【０１５１】
処理モジュール７０１は、サービングセルの信号測定値が測定閾値以下であるときにログレコードを生成するように特に構成される。
【０１５２】
オプションとして、ＭＤＴログ測定の構成情報は、第３の情報を含み、第３の情報は、第１の時間間隔を示す。
【０１５３】
オプションとして、ＭＤＴログ測定の構成情報は、第４の情報を含み、第４の情報は、ＭＤＴログ測定の構成情報の期間を示す。
【０１５４】
処理モジュール７０１は、トランシーバモジュール７０２がＭＤＴログ測定の構成情報を受信した後に、タイマーを開始するようにさらに構成され、ここで、タイマーの期間は前記期間である。
【０１５５】
ＭＤＴログ測定を実行するときに、処理モジュール７０１は、タイマーが時間切れになる前に、ログ測定の構成情報に基づいてＭＤＴログ測定を実行するように特に構成される。
【０１５６】
オプションとして、信号測定値は、セル信号測定値及びダウンリンクビームの信号測定値のいずれか１つ又は組合せを含む。
【０１５７】
オプションとして、ログレコードは、第５の情報をさらに含み、第５の情報は、ログレコードが生成されたときに端末が非アクティブ状態にあることを示す。
【０１５８】
オプションとして、処理モジュール７０１は、第１の時間間隔が満了したときに生成したログレコードを第１の変数に格納する、及び／又はＲＲＣ接続の再開に失敗したときに生成したログレコードを第２の変数に格納するようにさらに構成される。
【０１５９】
オプションとして、トランシーバモジュール７０２は、生成したログレコードをネットワーク装置に送信する前に、第１のメッセージをネットワーク装置に送信し、ネットワーク装置から第２のメッセージを受信するようにさらに構成され、ここで、第１のメッセージには、第１の時間間隔に基づいて生成されたログレコードが端末にあることを示すために使用される情報、及び／又はＲＲＣ接続再開の失敗に基づいて生成されたログレコードが端末にあることを示すために使用される情報が含まれ、第２のメッセージには、ログレコードを要求するために使用される情報が含まれる。
【０１６０】
この実施形態の通信機器は、前述した方法の実施形態における端末の技術的解決策を実行するように構成され得る。実施態様の原理及び技術的効果は類似しており、詳細については、ここでは再度説明しない。
【０１６１】
図８は、本願のさらに別の実施形態による通信機器の概略構造図である。通信機器は、ネットワーク装置であってもよく、ネットワーク装置の一部（例えば、集積回路又はチップ）であってもよく、又は別の通信モジュールであってもよく、図３及び図４に示される方法の実施形態におけるネットワーク装置に対応する動作を実施するように構成される。通信機器８００は、トランシーバモジュール８０１及び処理モジュール８０２を含み得る。
【０１６２】
トランシーバモジュール８０１は、端末からログレコードを受信するように構成される。
【０１６３】
処理モジュール８０２は、ログレコードを処理するように構成される。
【０１６４】
ログレコードは、端末が非アクティブ状態にあるときにＭＤＴログ測定を実行することによって生成され、非アクティブ状態は、エアインターフェイス接続が中断され、且つコンテキスト情報が保持されるＲＲＣ状態を指す。ログレコードは、端末の位置情報、端末のサービングセルの信号測定値、及び端末の少なくとも１つの隣接セルの信号測定値のいずれか１つ又は組合せを含む。
【０１６５】
オプションとして、ログレコードは、第１の時間間隔が満了したときに端末によって生成され、及び／又はＲＲＣ接続の再開に失敗したときに生成される。
【０１６６】
オプションとして、トランシーバモジュール８０１は、ＭＤＴログ測定の構成情報を端末に送信するように構成され、ＭＤＴログ測定の構成情報は、端末がＭＤＴログ測定を実行するために使用される。
【０１６７】
オプションとして、トランシーバモジュール８０１は、ＲＲＣメッセージを介してＭＤＴログ測定の構成情報を端末に送信するように特に構成される。
【０１６８】
オプションとして、ＲＲＣメッセージは、非アクティブ状態に入るように端末に示すために使用されるメッセージである。
【０１６９】
オプションとして、ＭＤＴログ測定の構成情報は、第１の情報を含み、第１の情報は、ＭＤＴログ測定が信号品質測定を含むことを示す。
【０１７０】
オプションとして、ＭＤＴログ測定の構成情報は、第２の情報をさらに含み、第２の情報は、信号品質測定のセマフォが、ＲＳＲＰ、ＲＳＲＱ、及びＳＩＮＲのいずれか１つ又は組合せを含むことを示す。
【０１７１】
オプションとして、ＭＤＴログ測定の構成情報は、測定閾値をさらに含み、測定閾値は、サービングセルの信号測定値が測定閾値以下である場合に、端末がログレコードを生成するために使用される。
【０１７２】
オプションとして、ＭＤＴログ測定の構成情報は、第３の情報をさらに含み、第３の情報は、第１の時間間隔を示す。
【０１７３】
オプションとして、ＭＤＴログ測定の構成情報は、第４の情報をさらに含み、第４の情報は、ＭＤＴログ測定の構成情報の期間を示す。
【０１７４】
オプションとして、信号測定値は、セル信号測定値及びダウンリンクビームの信号測定値のいずれか１つ又は組合せを含む。
【０１７５】
オプションとして、ログレコードは、第５の情報をさらに含み、第５の情報は、ログレコードが生成されたときに端末が非アクティブ状態にあることを示す。
【０１７６】
オプションとして、トランシーバモジュール８０１は、端末からログレコードを受信する前に、端末から第１のメッセージを受信し、第２のメッセージを端末に送信するようにさらに構成され、ここで、第１のメッセージには、第１の時間間隔に基づいて生成されたログレコードが端末にあることを示すために使用される情報、又はＲＲＣ接続再開の失敗に基づいて生成されたログレコードが端末にあることを示すために使用される情報が含まれ、第２のメッセージには、ログレコードを要求するために使用される情報が含まれる。
【０１７７】
この実施形態の通信機器は、前述した方法の実施形態におけるネットワーク装置の技術的解決策を実行するように構成され得る。実施態様の原理及び技術的効果は類似しており、詳細については、ここでは再度説明しない。
【０１７８】
本願の実施形態におけるモジュール分割は、一例であり、単なる論理機能分割であることに留意されたい。実際の実施態様では、別の分割方法が使用される場合がある。本願の実施形態における機能モジュールは、１つの処理モジュールに統合され得るか、又はモジュールのそれぞれが物理的に単独で存在し得るか、又は２つ以上のモジュールが１つのモジュールに統合され得る。統合モジュールは、ハードウェアの形態で実現することも、又はソフトウェア機能モジュールの形態で実現することもできる。
【０１７９】
統合モジュールがソフトウェア機能モジュールの形態で実現され、独立した製品として販売又は使用される場合に、統合モジュールは、コンピュータ可読記憶媒体に記憶され得る。そのような理解に基づいて、本願の技術的解決策は、本質的に、又は先行技術に寄与する部分、又は技術的解決策の全部又は一部は、ソフトウェア製品の形態で実現され得る。ソフトウェア製品は、記憶媒体に記憶され、コンピュータ装置（パーソナルコンピュータ、サーバー、ネットワーク装置等であり得る）又はプロセッサ（processor）に本願の実施形態でした方法のステップの全て又は一部を実行するように指示すためのいくつかの命令を含む。前述した記憶媒体には、ＵＳＢフラッシュドライブ、リムーバブルハードディスク、読み取り専用メモリ（Read-Only  Memory,  ROM）、ランダムアクセスメモリ（Random  Access  Memory,  RAM）、磁気ディスク、又は光学ディスク等の、プログラムコードを格納できる任意の媒体が含まれる。
【０１８０】
前述した実施形態の全て又はいくつかは、ソフトウェア、ハードウェア、ファームウェア、又はそれらの任意の組合せを用いて実施することができる。ソフトウェアを用いて実施される場合に、実施形態の全て又は一部は、コンピュータプログラム製品の形態で実現され得る。コンピュータプログラム製品は、１つ又は複数のコンピュータ命令を含む。コンピュータプログラム命令がコンピュータにロードされて実行されるときに、本願の実施形態による手順又は機能は、全て又は部分的に生成される。コンピュータは、汎用コンピュータ、専用コンピュータ、コンピュータネットワーク、又は別のプログラム可能な機器であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、ウェブサイト、コンピュータ、サーバー、又はデータセンターから別のウェブサイト、コンピュータ、サーバー、又はデータセンターに有線（例えば、同軸ケーブル、光ファイバー、又はデジタル加入者回線（DSL））又は無線（例えば、赤外線、無線、又はマイクロ波）方式で送信され得る。コンピュータ可読記憶媒体は、コンピュータによってアクセス可能な任意の使用可能な媒体、或いは１つ又は複数の使用可能な媒体を統合するサーバー又はデータセンター等のデータ記憶装置であり得る。使用可能な媒体は、磁気媒体（例えば、フロッピーディスク、ハードディスク、又は磁気テープ）、光学媒体（例えば、DVD）、半導体媒体（例えば、ソリッドステートドライブ（SSD））等であり得る。
【国際調査報告】
2021529484.tif 000011
2021529484.tif 000012
2021529484.tif 000013
2021529484.tif 000014